(57)【特許請求の範囲】
【請求項１】
階層化して対応付けられた複数の検索キーワードを区別して選択用に絞り込むための複数のキーワード種別を提示し、当該複数のキーワード種別の選択に用いられる複数のキーワード種別選択キーと、
上記複数のキーワード種別選択キーに対応し、かつ上記複数のキーワード種別が選択されたことを通知するための複数の選択通知表示子を表示する表示部と、
所望の階層の複数の上記検索キーワードを区別する上記キーワード種別の選択用に上記キーワード種別選択キーが指示されると、当該指示された上記キーワード種別選択キーに対応する上記選択通知表示子を上記表示部に表示するように制御して、当該キーワード種別選択キーの指示により選択された上記キーワード種別で区別される上記検索キーワードよりも、少なくとも１階層以上下位の上記検索キーワードを区別する上記キーワード種別の選択用に上記キーワード種別選択キーが新たに指示されたときには、当該新たに指示された上記キーワード種別選択キーに対応する上記選択通知表示子を追加して上記表示部に表示するように制御し、上記キーワード種別選択キーの指示により選択された上記キーワード種別で区別される上記検索キーワードよりも、少なくとも１階層以上上位の上記検索キーワードを区別する上記キーワード種別の選択用に上記キーワード種別選択キーが新たに指示されたときには、上記表示部に表示していた上記選択通知表示子を消灯し、当該新たに指示された上記キーワード種別選択キーに対応する上記選択通知表示子を上記表示部に表示するように制御する制御部と
を具える検索キーワード入力装置。
【請求項２】
上記複数のキーワード種別選択キーは、
上記キーワード種別の選択と共に、当該キーワード種別で区別される複数の上記検索キーワードの選択に用いられ、
上記制御部は、
上記キーワード種別選択キーが指示されると、当該指示された上記キーワード種別選択キーに対応する上記選択通知表示子と共に、当該キーワード種別選択キーが示す上記キーワード種別で区別される複数の上記検索キーワードのうちの１つの検索キーワードを上記表示部に表示するように制御して、上記キーワード種別選択キーが再び指示されると、当該指示された上記キーワード種別選択キーに対応する上記選択通知表示子の表示を継続したまま、当該キーワード種別選択キーが示す上記キーワード種別で区別される複数の上記検索キーワードのうち上記１つの検索キーワードに変えて新たな１つの検索キーワードを上記表示部に表示するように制御する
請求項１に記載の検索キーワード入力装置。
【請求項３】
上記制御部は、
所望の階層の複数の上記検索キーワードを区別する上記キーワード種別の選択用に上記キーワード種別選択キーが指示されると、当該指示された上記キーワード種別選択キーに対応する上記選択通知表示子と共に、当該キーワード種別選択キーが示す上記キーワード種別で区別される複数の上記検索キーワードのうちの上記１つの検索キーワードを上記表示部に表示するように制御して、当該キーワード種別選択キーの指示により選択された上記キーワード種別で区別される上記検索キーワードよりも、少なくとも１階層以上下位の上記検索キーワードを区別する上記キーワード種別の選択用に上記キーワード種別選択キーが新たに指示されたときには、当該新たに指示された上記キーワード種別選択キーに対応する上記選択通知表示子を追加すると共に、当該キーワード種別選択キーが示す上記キーワード種別で区別される複数の上記検索キーワードのうちの１つの検索キーワードを上記表示部に表示するように制御し、上記キーワード種別選択キーの指示により選択された上記キーワード種別で区別される上記検索キーワードよりも、少なくとも１階層以上上位の上記検索キーワードを区別する上記キーワード種別の選択用に上記キーワード種別選択キーが新たに指示されたときには、上記表示部に表示していた上記選択通知表示子と共に上記１つの検索キーワードを消灯し、当該新たに指示された上記キーワード種別選択キーに対応する上記選択通知表示子と共に、当該キーワード種別選択キーが示す上記キーワード種別で区別される複数の上記検索キーワードのうちの１つの検索キーワードを上記表示部に表示するように制御する
請求項２に記載の検索キーワード入力装置。
【請求項４】
上記複数のキーワード種別選択キーは、
最も上位の上記検索キーワードを区別する上記キーワード種別の選択用の上記キーワード種別選択キーから最も下位の上記検索キーワードを区別する上記キーワード種別の選択用の上記キーワード種別選択キーまでの順番に並べて配置された
請求項３に記載の検索キーワード入力装置。
【請求項５】
上記制御部は、
上記指示された上記キーワード種別選択キーに対応する上記選択通知表示子を、最も上位の上記検索キーワードを区別する上記キーワード種別の選択用の上記キーワード種別選択キーに対応する上記選択通知表示子から最も下位の上記検索キーワードを区別する上記キーワード種別の選択用の上記キーワード種別選択キーに対応する上記選択通知表示子までの順番に並べて上記表示部に表示するように制御する
請求項３に記載の検索キーワード入力装置。
【請求項６】
上記制御部は、
上記指示された上記キーワード種別選択キーに対応する上記選択通知表示子を上記表示部に表示するように制御したとき、上記キーワード種別で区別される最も下位の上記検索キーワードが選択可能であることを通知するためのキーワード選択可能通知表示子を上記表示部に表示するように制御する
請求項３に記載の検索キーワード入力装置。
【請求項７】
階層化して対応付けられた複数の検索キーワードを区別して選択用に絞り込むための複数のキーワード種別を提示し、当該複数のキーワード種別の選択に用いられる複数のキーワード種別選択キーのうち、所望の階層の複数の上記検索キーワードを区別する上記キーワード種別の選択用に上記キーワード種別選択キーが指示されると、上記複数のキーワード種別選択キーに対応し、かつ上記複数のキーワード種別が選択されたことを通知するための複数の選択通知表示子を表示する表示部に、上記指示された上記キーワード種別選択キーに対応する上記選択通知表示子を表示するように制御する第１の制御ステップと、
上記キーワード種別選択キーの指示により選択された上記キーワード種別で区別される上記検索キーワードよりも、少なくとも１階層以上下位の上記検索キーワードを区別する上記キーワード種別の選択用に上記キーワード種別選択キーが新たに指示されたときには、当該新たに指示された上記キーワード種別選択キーに対応する上記選択通知表示子を追加して表示するように制御し、上記キーワード種別選択キーの指示により選択された上記キーワード種別で区別される上記検索キーワードよりも、少なくとも１階層以上上位の上記検索キーワードを区別する上記キーワード種別の選択用に上記キーワード種別選択キーが新たに指示されたときには、上記表示部に表示していた上記選択通知表示子を消灯し、当該新たに指示された上記キーワード種別選択キーに対応する上記選択通知表示子を表示するように制御する第２の制御ステップと
を具える検索キーワード入力方法。
【請求項８】
コンピュータに対し、
階層化して対応付けられた複数の検索キーワードを区別して選択用に絞り込むための複数のキーワード種別を提示し、当該複数のキーワード種別の選択に用いられる複数のキーワード種別選択キーのうち、所望の階層の複数の上記検索キーワードを区別する上記キーワード種別の選択用に上記キーワード種別選択キーが指示されると、上記複数のキーワード種別選択キーに対応し、かつ上記複数のキーワード種別が選択されたことを通知するための複数の選択通知表示子を表示する表示部に、上記指示された上記キーワード種別選択キーに対応する上記選択通知表示子を表示するように制御する第１の制御ステップと、
上記キーワード種別選択キーの指示により選択された上記キーワード種別で区別される上記検索キーワードよりも、少なくとも１階層以上下位の上記検索キーワードを区別する上記キーワード種別の選択用に上記キーワード種別選択キーが新たに指示されたときには、当該新たに指示された上記キーワード種別選択キーに対応する上記選択通知表示子を追加して表示するように制御し、上記キーワード種別選択キーの指示により選択された上記キーワード種別で区別される上記検索キーワードよりも、少なくとも１階層以上上位の上記検索キーワードを区別する上記キーワード種別の選択用に上記キーワード種別選択キーが新たに指示されたときには、上記表示部に表示していた上記選択通知表示子を消灯し、当該新たに指示された上記キーワード種別選択キーに対応する上記選択通知表示子を表示するように制御する第２の制御ステップと
を実行させるための検索キーワード入力プログラム。
【発明の詳細な説明】
【技術分野】
【０００１】
本発明は検索キーワード入力装置、検索キーワード入力方法及び検索キーワード入力プログラムに関し、例えば多数の楽曲データの中から所望の楽曲データを検索して再生するオーディオシステムに適用して好適なものである。
【背景技術】
【０００２】
従来の画像検索システムは、複数の画像データをそれぞれ少なくとも１つのキーワードと対応付けて記憶している。また画像検索システムは、複数のキーワードを種類によって区別してグループ化し、これら複数のキーワードを示すキーワードアイコンを、キーワードの属するグループを示すグループアイコンと対応付けて記憶している。画像検索システムは、ディスプレイに検索用グラフィックユーザインタフェース（以下、これを検索用ＧＵＩと呼ぶ）を表示し、かかる検索用ＧＵＩのグループアイコン表示領域内でグループアイコンを選択させると共に、当該選択されたグループアイコンに対応するキーワードアイコンを検索用ＧＵＩのキーワードアイコン表示領域内に表示する。そして画像検索システムは、検索用ＧＵＩ内でキーワードアイコン表示領域から所望のキーワードアイコンが検索条件設定領域に移動された後、条件確定ボタンが押下操作されると、当該検索条件設定領域内のキーワードアイコンが示すキーワードを用いて画像データを検索していた（例えば、特許文献１参照）。
【特許文献１】特開平１０−２８９２５１号公報（第４頁、図２、図４）
【発明の開示】
【発明が解決しようとする課題】
【０００３】
ところがかかる構成の画像検索システムでは、検索用ＧＵＩのグループアイコン表示領域内に複数のグループアイコンを適宜切り替えて表示して所望のグループのグループアイコンを選択させている。このため画像検索システムでは、ユーザに対しどのようなグループが存在しているかを容易には認識させ難い。また画像検索システムでは、複数のキーワードを順次選択させ得るものの、そのキーワードの選択に合わせて検索用ＧＵＩのグループアイコン表示領域内に表示するグループアイコンを変更するため、すでに選択されたクループで再びキーワードが選択される際に当該グループを容易には確認させ難い。従って従来の画像検索システムは、ユーザに対しキーワードを容易には選択させ難いという問題があった。
【０００４】
本発明は以上の点を考慮してなされたもので、検索キーワードを容易に選択させ得る検索キーワード入力装置、検索キーワード入力方法及び検索キーワード入力プログラムを提案しようとするものである。
【課題を解決するための手段】
【０００５】
かかる課題を解決するため本発明においては、階層化して対応付けられた複数の検索キーワードを区別して選択用に絞り込むための複数のキーワード種別を提示し、当該複数のキーワード種別の選択に用いられる複数のキーワード種別選択キーのうち、所望の階層の複数の検索キーワードを区別するキーワード種別の選択用にキーワード種別選択キーが指示されると、複数のキーワード種別選択キーに対応し、かつ複数のキーワード種別が選択されたことを通知するための複数の選択通知表示子を表示する表示部に、指示されたキーワード種別選択キーに対応する選択通知表示子を表示するように制御して、当該キーワード種別選択キーの指示により選択されたキーワード種別で区別される検索キーワードよりも、少なくとも１階層以上下位の検索キーワードを区別するキーワード種別の選択用にキーワード種別選択キーが新たに指示されたときには、当該新たに指示されたキーワード種別選択キーに対応する選択通知表示子を追加して表示するように制御し、キーワード種別選択キーの指示により選択されたキーワード種別で区別される検索キーワードよりも、少なくとも１階層以上上位の検索キーワードを区別するキーワード種別の選択用にキーワード種別選択キーが新たに指示されたときには、表示部に表示していた選択通知表示子を消灯し、当該新たに指示されたキーワード種別選択キーに対応する選択通知表示子を表示するように制御するようにした。
【０００６】
従って本発明では、階層化して対応付けられた複数の検索キーワードを区別して選択用に絞り込むための複数のキーワード種別選択キーにより、どのようなキーワード種別が存在するかを容易にかつ的確に認識させることができると共に、キーワード種別選択キーの指示に応じた選択通知表示子の表示により、何れのキーワード種別が選択されたかを、検索キーワードを絞り込むためのキーワード種別の追加の選択、及び検索キーワードを下位から上位へさかのぼって変更する際のキーワード種別の選択の取り消しも含めて容易に確認させることができる。
【発明の効果】
【０００７】
本発明によれば、階層化して対応付けられた複数の検索キーワードを区別して選択用に絞り込むための複数のキーワード種別を提示し、当該複数のキーワード種別の選択に用いられる複数のキーワード種別選択キーのうち、所望の階層の複数の検索キーワードを区別するキーワード種別の選択用にキーワード種別選択キーが指示されると、複数のキーワード種別選択キーに対応し、かつ複数のキーワード種別が選択されたことを通知するための複数の選択通知表示子を表示する表示部に、指示されたキーワード種別選択キーに対応する選択通知表示子を表示するように制御して、当該キーワード種別選択キーの指示により選択されたキーワード種別で区別される検索キーワードよりも、少なくとも１階層以上下位の検索キーワードを区別するキーワード種別の選択用にキーワード種別選択キーが新たに指示されたときには、当該新たに指示されたキーワード種別選択キーに対応する選択通知表示子を追加して表示するように制御し、キーワード種別選択キーの指示により選択されたキーワード種別で区別される検索キーワードよりも、少なくとも１階層以上上位の検索キーワードを区別するキーワード種別の選択用にキーワード種別選択キーが新たに指示されたときには、表示部に表示していた選択通知表示子を消灯し、当該新たに指示されたキーワード種別選択キーに対応する選択通知表示子を表示するように制御するようにしたことにより、階層化して対応付けられた複数の検索キーワードを区別して選択用に絞り込むための複数のキーワード種別選択キーにより、どのようなキーワード種別が存在するかを容易にかつ的確に認識させることができると共に、キーワード種別選択キーの指示に応じた選択通知表示子の表示により、何れのキーワード種別が選択されたかを、検索キーワードを絞り込むためのキーワード種別の追加の選択、及び検索キーワードを下位から上位へさかのぼって変更する際のキーワード種別の選択の取り消しも含めて容易に確認させることができ、かくして検索キーワードを容易に選択させ得る検索キーワード入力装置、検索キーワード入力方法及び検索キーワード入力プログラムを実現することができる。
【発明を実施するための最良の形態】
【０００８】
以下図面について、本発明の一実施の形態を詳述する。
【０００９】
図１において、１は全体として本発明を適用したオーディオシステムを示し、多数の楽曲データを蓄積するサーバ２と、例えばＩＥＥＥ（Institute of Electrical and Electronics Engineers ）８０２．１１の無線ＬＡＮ（Local Area Network）規格に準じて無線通信する無線通信モジュール３を、スピーカが内蔵されたクレードル４の正面中央部に設けられた載置部４Ａに載置し得るようになされている。かかるクレードル４の載置部４Ａには、接続端子（以下、これをクレードル側端子と呼ぶ）４Ｂが設けられている。また無線通信モジュール３の底面である載置部接触面３Ａにも、図示しない接続端子（以下、これをモジュール側端子と呼ぶ）が設けられている。これにより図２に示すように、オーディオシステム１では、例えばクレードル４の載置部４Ａに無線通信モジュール３が、当該無線通信モジュール３の筐体正面に設けられたＬＣＤ（Liquid Crystal Display）等のディスプレイ３Ｂをクレードル４の正面の前側に向けた姿勢で載置されると、モジュール側端子とクレードル側端子４Ｂとを嵌め合わせて、これら無線通信モジュール３とクレードル４とを電気的に接続する。この状態でオーディオシステム１では、ユーザによるリモートコントローラ５の操作に応じて無線通信モジュール３を動作させると共に、当該無線通信モジュール３を介してサーバ２及びクレードル４を制御させ得るようになされている。これによりオーディオシステム１では、無線通信モジュール３が無線通信によってサーバ２から楽曲データを取り込みながらモジュール側端子及びクレードル側端子４Ｂを順次介してクレードル４に送出するようにして当該楽曲データをストリーミング形式で再生処理することにより、クレードル４のスピーカから楽曲データに基づく楽曲を出力してユーザに聴取させ得るようになされている。
【００１０】
ここで図３に示すように、リモートコントローラ５の一面５Ａには、無線通信モジュール３に対し電源をオン／オフさせるための電源オン／オフキー１０と、動作中の無線通信モジュール３に対し予め選定された所定時間後に電源をオフするスリープモードに設定するためのスリープモードキー１１と、例えば無線通信モジュール３に対しサーバ２からすでに蓄積している楽曲データを取り込む楽曲データ取込機能、及びインターネット等のネットワーク上で配信されている楽曲データをサーバ２経由で取り込む配信データ取込機能との何れを実現させるかを選択させるための機能選択キー１２とが設けられている。またリモートコントローラ５の一面５Ａには、無線通信モジュール３がサーバ２から、ユーザにより気に入られた楽曲のみを登録しているリスト（以下、これをお気に入りリストと呼ぶ）を楽曲データの再生処理用に呼び出すためのお気に入りリスト呼出キー１３と、ユーザが楽曲の再生中（すなわち、クレードル４のスピーカから出力されている楽曲を聴取している途中）にその楽曲を気に入ったとき、当該楽曲をお気に入りリストに登録するための楽曲登録キー１４と、ユーザがお気に入りリストに登録されている楽曲の再生中にその登録を取り消すための登録取消キー１５とが設けられている。さらにリモートコントローラ５の一面５Ａには、無線通信モジュール３のディスプレイ３Ｂにおいて表示内容を切り替えるための表示切替キー１６も設けられている。
【００１１】
さらにまたリモートコントローラ５の一面５Ａには、楽曲の再生を開始するための再生開始キー１７と、楽曲の再生を一時停止するための一時停止キー１８と、楽曲の再生を停止するための再生停止キー１９とが設けられると共に、再生中の楽曲を早送りするための早送りキー２０と、早戻しするための早戻しキー２１と、再生する楽曲を切り替えるための曲送りキー２２及び曲戻しキー２３も設けられている。またリモートコントローラ５の一面５Ａには、再生中の楽曲の再生時間の表示形態（すなわち、再生時間を再生の進行に合わせて順次加算する加算表示形態、及び当該再生時間を再生の進行に合わせて順次減算する減算表示形態）を切り替えるための再生時間表示切替キー２４と、楽曲の再生形態として複数の楽曲を循環的に繰り返し再生する複数繰返再生形態（すなわち、複数リピート）、及び１曲を繰り返し再生する一曲繰返再生形態（すなわち、１曲リピート）の何れかを選択するための繰返再生形態選択キー２５と、複数の楽曲をサーバ２側で設定された再生順序で再生する通常再生形態（すなわち、コンティニュ）、及び当該サーバ２側で設定された再生順序を無作為に並べ替えた他の順序で再生する並替再生形態（すなわち、シャッフル）の何れかを選択するための再生形態選択キー２６とが設けられている。
【００１２】
ところでリモートコントローラ５の一面５Ａには、無線通信モジュール３のディスプレイ３Ｂにメインメニューを表示するためのメニュー表示キー２７が設けられていると共に、ユーザにより選択された情報や入力された情報等を確定するための確定キー２８も設けられている。そしてリモートコントローラ５は、メインメニューに対し複数のメニュー項目が関連付けられていることにより、ディスプレイ３Ｂにメインメニューが表示されたとき、曲送りキー２２及び曲戻しキー２３を、メインメニューに替えてメニュー項目を選択して表示させるための項目選択キーとして機能させ、早送りキー２０及び早戻しキー２１を、メニュー項目の情報入力欄において数値等の情報の入力位置を示す指示子（すなわち、カーソル）を移動させるためのカーソル移動キーとして機能させるようになされている。
【００１３】
これに加えてリモートコントローラ５の一面５Ａには、無線通信モジュール３でサーバ２に蓄積されている多数の楽曲データから再生対象の楽曲データを検索する際に、当該サーバ２に蓄積されている全ての楽曲データを再生対象とする「全曲」という検索条件を選択させるための検索条件選択キー（以下、これを全曲選択キーと呼ぶ）３０が設けられている。ところでサーバ２は、多数の楽曲データと共に、楽曲データ毎の楽曲の属するジャンルの名称（以下、これをジャンル名と呼ぶ）、楽曲を奏でるアーティストの名称（以下、これをアーティスト名と呼ぶ）、楽曲の収録されたアルバムディスクのタイトル（以下、これをアルバム名と呼ぶ）のような楽曲に関連する関連情報（以下、これを楽曲関連情報と呼ぶ）も蓄積している。そしてサーバ２は、多数の楽曲データをそれぞれジャンル名、アーティスト名及びアルバム名と階層的に対応付けるようにして、当該多数の楽曲データを楽曲関連情報により多階層構造で管理している。一方、無線通信モジュール３は、サーバ２の蓄積している多数の楽曲データの中から再生対象の楽曲データを検索するための検索キーワードとしてジャンル名、アーティスト名、アルバム名を利用するようにしている。そして無線通信モジュール３は、ジャンル名、アーティスト名、アルバム名を区別する楽曲データ管理用の「ジャンル」、「アーティスト」、「アルバムディスク」という種別を、検索キーワードを区別し選択用に絞り込むための種別（以下、これをキーワード種別と呼ぶ）としてそのまま利用している。従って無線通信モジュール３は、かかるキーワード種別毎に当該キーワード種別で区別される検索キーワードとしてのジャンル名、アーティスト名又はアルバム名を選択させている。
【００１４】
このためリモートコントローラ５の一面５Ａには、キーワード種別としての「ジャンル」を選択させるためのキーワード種別選択キー（以下、これをジャンル選択キーと呼ぶ）３１と、「アーティスト」を選択させるためのキーワード種別選択キー（以下、これをアーティスト選択キーと呼ぶ）３２と、「アルバムディスク」を選択させるためのキーワード種別選択キー（以下、これをアルバム選択キーと呼ぶ）３３とが設けられている。この場合、全曲選択キー３０の表面には、特に何ら描かれてはいないが、リモートコントローラ５の一面５Ａには全曲選択キー３０に近接して検索条件の「全曲」を表す「ＡＬＬ」という文字が印刷されている。またジャンル選択キー３１の表面には、キーワード種別としての「ジャンル」を示す例えば音符の絵柄が描かれており、リモートコントローラ５の一面５Ａにはジャンル選択キー３１に近接して「ジャンル」を表す「ＧＥＮＲＥ」という文字が印刷されている。さらにアーティスト選択キー３２の表面には、キーワード種別としての「アーティスト」を示す例えば人の絵柄が描かれており、リモートコントローラ５の一面５Ａにはアーティスト選択キー３２に近接して「アーティスト」を表す「ＡＲＴＩＳＴ」という文字が印刷されている。さらにまたアルバム選択キー３３の表面には、キーワード種別としての「アルバムディスク」を示す例えばディスクの絵柄が描かれており、リモートコントローラ５の一面５Ａにはアルバム選択キー３３に近接して「アルバムディスク」を表す「ＤＩＳＣ」という文字が印刷されている。これによりリモートコントローラ５は、全曲選択キー３０、ジャンル選択キー３１、アーティスト選択キー３２及びアルバム選択キー３３の絵柄及び近傍の文字により、楽曲データの検索用に選択可能な検索条件やキーワード種別をユーザに常時提示し得るようにしている。
【００１５】
またジャンル選択キー３１は、キーワード種別としての「ジャンル」で区別されるジャンル名を楽曲のタイトル（以下、これを楽曲タイトルと呼ぶ）等と対応付けて生成されたジャンルリストの中から、検索キーワードとしてのジャンル名をその並びに従い順次選択させ得るようになされている。さらにアーティスト選択キー３２は、キーワード種別としての「アーティスト」で区別されるアーティスト名を楽曲タイトル等と対応付けて生成されたアーティストリストの中から、検索キーワードとしてのアーティスト名をその並びに従い順次選択させ得るようになされている。さらにまたアルバム選択キー３３は、キーワード種別としての「アルバムディスク」で区別されるアルバム名を楽曲タイトル等と対応付けて生成されたアルバムリストの中から、検索キーワードとしてのアルバム名をその並びに従い順次選択させ得るようになされている。
【００１６】
ただしジャンル選択キー３１、アーティスト選択キー３２及びアルバム選択キー３３は、例えばユーザにより検索キーワードを選択するための指示として押下操作された場合、ジャンルリスト、アーティストリスト及びアルバムリストの一端から他端の方向に沿って順次選択対象となるジャンル名、アーティスト名及びアルバム名を切り替えて選択させるように機能している。このためリモートコントローラ５の一面５Ａには、ジャンル選択キー３１、アーティスト選択キー３２及びアルバム選択キー３３とは別に、ジャンルリスト、アーティストリスト及びアルバムリストの他端から一端の方向に順次選択対象となるジャンル名、アーティスト名及びアルバム名を切り替えて選択させるための他方向キーワード選択キー３４が、当該ジャンルリスト、アーティストリスト及びアルバムリストの一端から他端の方向に沿って順次選択対象となるジャンル名、アーティスト名及びアルバム名を切り替えて選択させるための一方向キーワード選択キー３５と共に設けられている。
【００１７】
因みにリモートコントローラ５の一面５Ａには、無線通信モジュール３がサーバ２から、任意に選択された楽曲を登録している再生リスト（以下、これをプレイリストと呼ぶ）を楽曲データの再生処理用に呼び出すためのプレイリスト呼出キー３６と、無線通信モジュール３がインターネット等のネットワークを介して放送されているラジオ番組をサーバ２経由で取り込むラジオ番組取込機能を選択するための機能選択キー３７とが設けられている。またリモートコントローラ５の一面５Ａには、再生中の楽曲の音量を調節するための音量調節キー３８及び３９と、楽曲の音質として高音域を調節するための高音域調節キー４０及び４１と、楽曲の低音域を調節するための低音域調節キー４２及び４３とが設けられている。さらにリモートコントローラ５の一面５Ａには、楽曲の音質の調節をオン／オフするためのサラウンドキー４４及びイコライジングキー４５も設けられている。このようにリモートコントローラ５は、一面５Ａに種々の操作キーが設けられ、これら操作キーがユーザにより押下操作されると、当該押下操作された操作キーに対応する命令を赤外線信号として赤外線発光部（図示せず）から無線通信モジュール３に向けて発射する。これによりリモートコントローラ５は、ユーザによる操作キーの押下操作に応じて無線通信モジュール３に対し各種命令を入力し得るようになされている。
【００１８】
次いで、図４を用いて無線通信モジュール３の回路構成について説明する。無線通信モジュール３は、クレードル４に載置されると、当該クレードル４から供給される電源をモジュール側端子４８を介して取り込むことにより、全体が動作可能な状態になる。また無線通信モジュール３において赤外線受光部４９は、リモートコントローラ５からユーザによる電源オン／オフキー１０等の操作キーに対する押下操作に応じて起動命令等の各種命令が赤外線信号として発射されると、これを受光して起動命令等の各種命令に変換し、かかる命令を例えばマイクロコンピュータ構成の制御部５０に送出する。制御部５０は、赤外線受光部４９から与えられる各種命令に応じて、当該制御部５０の内蔵メモリ（図示せず）から読み出した検索キーワード入力プログラム等の各種プログラムを実行することにより全体を統括的に制御すると共に、各種処理を実行する。
【００１９】
これにより制御部５０は、例えば無線通信モジュール３がクレードル４に載置された状態で起動すると、初期設定処理として、ＴＣＰ／ＩＰ（Transmission Control Protocol/Internet Protocol ）ベースのＵＰｎＰ（Universal Plug & Play ）や、ＤＬＮＡ（Digital Living Network Alliance ）のような仕様を利用し、ＳＳＤＰ（Simple Service Discovery Protocol ）と呼ばれるプロトコルを使用して無線ＬＡＮアダプタ５１からサーバ探索信号（例えば、M-SEARCHコマンド）を送信する。その結果、制御部５０は、サーバ探索信号を受信したサーバ２から返信された返答信号を、無線ＬＡＮアダプタ５１を介して受信すると、無線通信モジュール３と無線通信可能なサーバ２が存在していることを検出する。また制御部５０は、このように無線通信可能なサーバ２を検出すると、引き続き無線ＬＡＮアダプタ５１からサーバ情報要求信号を送信する。その結果、制御部５０は、サーバ２からサーバ情報要求信号の受信に応じて返信されたサーバ情報（例えば、Device Description）を、無線ＬＡＮアダプタ５１を介して受信すると、当該受信したサーバ情報の内容に基づき、無線通信可能なサーバ２が無線通信モジュール３に対し楽曲データを提供可能なものであるか否かを判別すると共に、当該サーバ２が無線通信モジュール３に対応させて製造されたものであるか否かも判別する。
【００２０】
ここで図５に示すように、サーバ２は、上述したように自己が蓄積している多数の楽曲データを「ジャンル」、「アーティスト」及び「アルバムディスク」の種別で区別されるジャンル名、アーティスト名及びアルバム名と階層的に対応付けて多階層構造で管理している。すなわちサーバ２は、「ジャンル」で区別されるジャンル名を最上位階層とし、「アーティスト」で区別されるアーティスト名をジャンル名よりも１階層下位とし、「アルバムディスク」で区別されるアルバム名をアーティスト名よりも１階層下位（すなわち、この場合には最下位階層）としている。そしてサーバ２は、個々のジャンル名に対しそれぞれジャンルに属する楽曲のアーティスト名を対応付けると共に、個々のアーティスト名に対しそれぞれアーティストの奏でる楽曲が収録されたアルバムディスクのアルバム名を対応付け、これらアルバム名に対しそれぞれアルバムディスクに収録されている楽曲の楽曲データ（すなわち、図中のトラック）を対応付けている。この状態で図６乃至図８に示すように、無線通信モジュール３に対応させて製造されたサーバ２は、図５に示す楽曲データ管理用の多階層構造の情報から、個々の種別（すなわち、「ジャンル」、「アーティスト」及び「アルバムディスク」）にそれぞれ楽曲データを直接対応付けた２階層の情報を生成し得るようになされている。またサーバ２は、図９に示すように、図５に示す楽曲データ管理用の多階層構造の情報から、検索条件の「全曲」に対し全ての楽曲データを直接対応付けた２階層の情報も生成し得るようになされている。
【００２１】
そして図１０に示すように、サーバ２は、「ジャンル」と楽曲データとの２階層の情報を元に、個々のジャンル名に対しそれぞれジャンルに属する楽曲の楽曲タイトルと、当該楽曲の楽曲データを要求する際に利用させるＵＲＬ（Uniform Resource Locator）とを対応付けたジャンルリストＪＬを生成し得るようになされている。また図１１に示すように、サーバ２は、「アーティスト」と楽曲データとの２階層の情報を元に、個々のアーティスト名に対しそれぞれアーティストの奏でる楽曲の楽曲タイトルと、当該楽曲の楽曲データを要求する際に利用させるＵＲＬとを対応付けたアーティストリストＲＬを生成し得るようになされている。さらに図１２に示すように、サーバ２は、「アルバムディスク」と楽曲データとの２階層の情報を元に、個々のアルバム名に対しそれぞれアルバムディスクに収録された楽曲の楽曲タイトルと、当該楽曲の楽曲データを要求する際に利用させるＵＲＬとを対応付けたアルバムリストＤＬを生成し得るようになされている。さらにまた図１３に示すように、サーバ２は、検索条件の「全曲」と楽曲データとの２階層の情報を元に、全ての楽曲データの楽曲タイトルとこれら楽曲データを要求する際に利用させるＵＲＬとをまとめた全曲リストＡＬも生成し得るようになされている。
【００２２】
このため制御部５０は、楽曲データを提供可能なサーバ２を検出した場合、かかるサーバ２が無線通信モジュール３に対応させて製造されたものであると、例えばサーバ２が提供するコンテンツデリバリサービス（Contents Delivery Service ）を利用し、ＳＯＡＰ（Simple Object Access Protocol ）と呼ばれるプロトコルを使用して無線ＬＡＮアダプタ５１からジャンルリストＪＬ、アーティストリストＲＬ及びアルバムリストＤＬ（以下、これらをまとめて種別リストと呼ぶ）と全曲リストＡＬとを要求するリスト要求信号を送信する。その結果、制御部５０は、サーバ２から種別リスト及び全曲リストＡＬが送信されると、これらを無線ＬＡＮアダプタ５１を介して受信して内部のメモリ（図示せず）に記録する。
【００２３】
一方、無線通信モジュール３に対応させて製造されたもの以外のサーバ２は、上述したように自己が蓄積している多数の楽曲データを多階層構造で管理してはいても、種別リストや全曲リストＡＬを生成し得るようには構成されていない。このため制御部５０は、楽曲データを提供可能なサーバ２が無線通信モジュール３に対応させて製造されたもの以外であると、例えば上述と同様にサーバ２が提供するコンテンツデリバリサービスを利用し、ＳＯＡＰを使用して無線ＬＡＮアダプタ５１から全ての楽曲データを管理する多階層構造の情報（以下、これを階層構造情報と呼ぶ）を要求する階層構造情報要求信号を送信する。その結果、制御部５０は、サーバ２から階層構造情報が返信されると、これを無線ＬＡＮアダプタ５１を介して受信する。そして制御部５０は、かかる階層構造情報に基づき種別リスト（すなわち、ジャンルリストＪＬ、アーティストリストＲＬ、アルバムリストＤＬ）及び全曲リストＡＬを生成し、当該生成した種別リスト及び全曲リストＡＬを内部のメモリに記録する。このようにして制御部５０は、初期設定処理において、後述する楽曲データの検索に使用する種別リスト及び全曲リストＡＬを取得している。
【００２４】
制御部５０は、初期設定処理の終了後、ユーザによるリモートコントローラ５の機能選択キー１２に対する押下操作に応じて楽曲データ取込命令が入力されると、楽曲データ取込機能を実現する楽曲データ取込モードに移行する。制御部５０は、楽曲データ取込モードにおいて、例えばユーザによるリモートコントローラ５の全曲選択キー３０に対する押下操作に応じて全曲選択命令が入力されたときには、ユーザにより楽曲データの検索条件として「全曲」が選択されたことを検出する。また制御部５０は、ユーザにより選択された「全曲」という検索条件に応じて、内部のメモリから全曲リストＡＬを読み出す。この状態で制御部５０は、例えばユーザによりリモートコントローラ５の再生開始キー１７が押下操作され、これに応じて再生開始命令が入力されると、例えばメディアトランスポート（Media Transport ）と呼ばれるＨＴＴＰ（Hyper Text Transfer Protocol）を利用して無線ＬＡＮアダプタ５１から、全曲リストＡＬに含まれる楽曲データ要求用のＵＲＬ（Uniform Resource Locator）に従い楽曲データを要求する楽曲データ要求信号を送信する。
【００２５】
また制御部５０は、楽曲データ取込モードにおいて、ユーザによりリモートコントローラ５のジャンル選択キー３１、アーティスト選択キー３２又はアルバム選択キー３３の何れか１つがキーワード種別を選択するための指示として押下操作され、これに応じてジャンル選択命令、アーティスト選択命令又はアルバム選択命令が入力されると、その命令に応じてユーザにより選択されたキーワード種別（すなわち、「ジャンル」、「アーティスト」又は「アルバムディスク」）を判別する。そして制御部５０は、その判別したキーワード種別に応じて、内部のメモリから対応する種別リスト（すなわち、ジャンルリストＪＬ、アーティストリストＲＬ又はアルバムリストＤＬ）を読み出すと共に、その種別リスト内で検索キーワードとしての複数のジャンル名、アーティスト名又はアルバム名の中から例えばリストの先頭のジャンル名、アーティスト名又はアルバム名を自動的に選択する。ただし制御部５０は、引き続きユーザにより同一のジャンル選択キー３１、アーティスト選択キー３２又はアルバム選択キー３３が押下操作され、又は他方向キーワード選択キー３４及び又は一方向キーワード選択キー３５が押下操作されたことに応じて、選択対象のジャンル名、アーティスト名又はアルバム名を切り替える選択対象切替命令が入力されると、種別リスト内で選択される検索キーワードとしてのジャンル名、アーティスト名又はアルバム名を切り替える。
【００２６】
そして制御部５０は、ユーザによるリモートコントローラ５の確定キー２８に対する押下操作に応じて選択確定命令が入力されると、その時点にユーザにより選択されていた検索キーワードとしてのジャンル名、アーティスト名又はアルバム名を検索条件とする。これにより制御部５０は、種別リストの中で、検索条件とした検索キーワードに対応する楽曲タイトルを再生対象の楽曲データの楽曲タイトルとして検索する。その結果、制御部５０は、種別リストの中から、その検索キーワードで検索した楽曲タイトルに関する部分（すなわち、その楽曲タイトルと、これに対応付けられているジャンル名、アーティスト名又はアルバム名や楽曲データ要求用のＵＲＬ）を楽曲要求リストとして抽出する。この状態で制御部５０は、例えばユーザによるリモートコントローラ５の再生開始キー１７に対する押下操作に応じて再生開始命令が入力されると、上述と同様に無線ＬＡＮアダプタ５１から、かかる楽曲要求リストに含まれる楽曲データ要求用のＵＲＬに従い楽曲データを要求する楽曲データ要求信号を送信する。
【００２７】
ところで検索キーワードとしてのジャンル名やアーティスト名、アルバム名は、階層的に対応付けられている。このためユーザは、楽曲データを検索する場合、上位の検索キーワードを区別するキーワード種別（以下、これを上位のキーワード種別と呼ぶ）と共に検索キーワードを選択した後、下位の検索キーワードを区別するキーワード種別（以下、これを下位のキーワード種別と呼ぶ）と共に検索キーワードを選択すると、多数の楽曲データの中から所望の楽曲データを容易に絞り込んで検索することができる。このため制御部５０は、ユーザに対し複数のキーワード種別を上位から下位へ階層を辿るように選択させ得るようにもなされている。
【００２８】
すなわち制御部５０は、楽曲データ取込モードにおいて、まずユーザによりジャンル選択キー３１又はアーティスト選択キー３２が押下操作されると、そのユーザにより選択された上位のキーワード種別を判別する。そして制御部５０は、ユーザにより選択されたキーワード種別に応じて、内部のメモリから対応する種別リスト（すなわち、ジャンルリストＪＬ又はアーティストリストＲＬ）を読み出すと共に、その種別リスト内で検索キーワードとしての複数のジャンル名又はアーティスト名の中から例えばリストの先頭のジャンル名又はアーティスト名を自動的に選択する。ただしこの場合にも制御部５０は、引き続きユーザにより同一のジャンル選択キー３１又はアーティスト選択キー３２が押下操作され、又は他方向キーワード選択キー３４及び又は一方向キーワード選択キー３５が押下操作されると、これに応じて種別リスト内で選択される検索キーワードとしてのジャンル名又はアーティスト名を切り替える。
【００２９】
この状態で制御部５０は、ユーザによりさらにアーティスト選択キー３２又はアルバム選択キー３３が押下操作されると、その時点に上位のキーワード種別（すなわち、「ジャンル」又は「アーティスト」）で、ユーザにより選択されていた検索キーワードとしてのジャンル名又はアーティスト名を自動的に検索条件とする。また制御部５０は、ユーザにより追加で押下操作されたアーティスト選択キー３２又はアルバム選択キー３３に応じて、ユーザにより追加で選択された下位のキーワード種別（すなわち、先に選択された上位のキーワード種別よりも下位のキーワード種別である）を判別する。そして制御部５０は、このとき無線通信しているサーバ２が無線通信モジュール３に対応させて製造されたものであると、ユーザにより選択された下位のキーワード種別に対応する種別リスト（すなわち、アーティストリストＲＬ又はアルバムリストＤＬ）の中で、上位のキーワード種別において検索条件とした検索キーワード（すなわち、ジャンル名又はアーティスト名であり、以下、これを上位検索キーワードと呼ぶ）に直接対応する部分（以下、これを種別部分リストと呼ぶ）を要求する部分リスト要求信号を生成する。これにより制御部５０は、例えばサーバ２が提供するコンテンツデリバリサービスを利用し、ＳＯＡＰと呼ばれるプロトコルを使用して無線ＬＡＮアダプタ５１から、かかる部分リスト要求信号を送信する。
【００３０】
ここで無線通信モジュール３に対応させて製造されたサーバ２は、かかる部分リスト要求信号を受信した場合、図５について上述した楽曲データ管理用の多階層構造の情報から、例えば図１４（Ａ）及び（Ｂ）に示すように、ユーザにより選択されていた上位検索キーワードとしての例えばジャンル名に直接対応付けているアーティスト名と楽曲データとの部分的な２階層の情報や、ユーザにより選択されていた上位検索キーワードとしての例えばアーティスト名に直接対応付けているアルバム名と楽曲データとの部分的な２階層の情報を生成し得るようになされている。そして図１５（Ａ）及び（Ｂ）に示すように、サーバ２は、その部分的な２階層の情報を元に、上位検索キーワードとしてのジャンル名に直接対応付けている個々のアーティスト名に楽曲の楽曲タイトルと楽曲データ要求用のＵＲＬとを対応付けたアーティスト部分リストＲＰＬや、上位検索キーワードとしてのアーティスト名に直接対応付けている個々のアルバム名に楽曲の楽曲タイトルと楽曲データ要求用のＵＲＬとを対応付けたアルバム部分リストＤＰＬを種別部分リストとして生成して無線通信モジュール３に返送し得るようになされている。
【００３１】
従って制御部５０は、サーバ２に対し部分リスト要求信号を送信すると、これに応じて当該サーバ２から返信された種別部分リストを、無線ＬＡＮアダプタ５１を介して受信して内部のメモリに一旦記録する。ところで制御部５０は、このとき無線通信しているサーバ２が無線通信モジュール３に対応させて製造されたもの以外であると、そのサーバ２から取得していた階層構造情報に基づき種別部分リスト（すなわち、アーティスト部分リストＲＰＬやアルバム部分リストＤＰＬ）を生成して内部のメモリに一旦記録する。このようにして制御部５０は、種別部分リストを取得すると、例えばその種別部分リスト内で検索キーワードとしての複数のアーティスト名又はアルバム名の中から例えばリストの先頭のアーティスト名又はアルバム名を自動的に選択する。ただし制御部５０は、このときもユーザによりアーティスト選択キー３２又はアルバム選択キー３３が押下操作され、又は他方向キーワード選択キー３４及び又は一方向キーワード選択キー３５が押下操作されると、これに応じて種別部分リスト内で選択される検索キーワードとしてのアーティスト名又はアルバム名を切り替える。
【００３２】
そして制御部５０は、ユーザによりリモートコントローラ５の確定キー２８が押下操作されると、これに応じてその時点に種別部分リストの中で、ユーザにより選択されていた検索キーワードとしてのアーティスト名又はアルバム名を検索条件とする。これにより制御部５０は、種別部分リストの中で、検索条件とした検索キーワードに対応する楽曲タイトルを再生対象の楽曲データの楽曲タイトルとして検索する。その結果、制御部５０は、種別部分リストの中から、その検索キーワードで検索した楽曲タイトルに関する部分（すなわち、その楽曲タイトルと、これに対応付けられているアーティスト名又はアルバム名と楽曲データ要求用のＵＲＬ）を楽曲要求リストとして抽出する。この状態で制御部５０は、例えばユーザによるリモートコントローラ５の再生開始キー１７に対する押下操作に応じて再生開始命令が入力されると、上述と同様に無線ＬＡＮアダプタ５１から、かかる楽曲要求リストに含まれる楽曲データ要求用のＵＲＬに従い楽曲データ要求信号を送信する。
【００３３】
制御部５０（図４）は、楽曲データ要求信号の送信の結果、サーバ２から例えば、リニアＰＣＭ（Pulse Code Modulation ）フォーマットの楽曲データの送信が開始されると、その楽曲データを無線ＬＡＮアダプタ５１を介して受信しつつ、当該楽曲データの受信し終えた部分から順にバッファ５２に書き込んでいく。そして制御部５０は、バッファ５２に例えば数秒分の楽曲データが溜まると、この溜まった楽曲データをデジタルアナログコンバータ（以下、これをＤＡコンバータと呼ぶ）５３に送出すると共にバッファ５２から消去して、再びバッファ５２に数秒分の楽曲データが溜まるまで待ち受ける。ＤＡコンバータ５３は、バッファ５２から与えられる楽曲データに対してデジタルアナログ変換処理を施し、その結果得られた楽曲信号をモジュール側端子４８からクレードル４に送出する。このようにして制御部５０は、サーバ２から送信される楽曲データをストリーミング形式で再生処理して楽曲信号としてクレードル４に送出し、かくしてクレードル４に内蔵されたスピーカから、その楽曲信号に基づく楽曲を出力させる。
【００３４】
因みに制御部５０は、ユーザによるリモートコントローラ５のお気に入りリスト呼出キー１３やプレイリスト呼出キー３６の押下操作に応じてお気に入りリスト呼出命令やプレイリスト呼出命令が入力されると、例えば無線ＬＡＮアダプタ５１からお気に入りリスト要求信号やプレイリスト要求信号をサーバ２に送信する。その結果、制御部５０は、サーバ２からお気に入りリストやプレイリストが送信されると、これを無線ＬＡＮアダプタ５１を介して受信して内部のメモリに記録する。そして制御部５０は、かかる状態でユーザによりリモートコントローラ５の再生開始キー１７が押下操作されると、お気に入りリストやプレイリストに含まれる楽曲データ要求用のＵＲＬに従い楽曲データ要求信号を送信する。これにより制御部５０は、上述した楽曲要求リストを利用して楽曲データをストリーミング形式で再生処理した場合と同様に、お気に入りリストやプレイリストに登録されている楽曲データをストリーミング形式で再生処理して、クレードル４のスピーカから楽曲を出力させる。なお制御部５０は、楽曲要求リストやプレイリストを利用して楽曲データをストリーミング形式で再生処理している途中（すなわち、クレードル４のスピーカから楽曲を出力させてユーザに聴取させている途中）で、リモートコントローラ５の楽曲登録キー１４が押下操作されると、その時点に再生処理している楽曲データに基づく楽曲をお気に入りリストに登録するように要求する楽曲登録要求信号を無線ＬＡＮアダプタ５１からサーバ２に送信する。これにより制御部５０は、サーバ２においてお気に入りリストに対しユーザに気に入られた楽曲を登録させる。また制御部５０は、お気に入りリストを利用して楽曲データをストリーミング形式で再生処理している途中に、ユーザによりリモートコントローラ５の登録取消キー１５が押下操作されると、当該お気に入りリストからその時点に再生処理していた楽曲データに基づく楽曲の登録を取り消す。
【００３５】
ところで制御部５０は、楽曲データに対するストリーミング形式の再生処理中に、ユーザによるリモートコントローラ５の一時停止キー１８や再生停止キー１９に対する押下操作に応じて一時停止命令や再生停止命令が入力されると、無線ＬＡＮアダプタ５１から一時停止信号や再生停止信号をサーバ２に送信する。これにより制御部５０は、サーバ２に対し楽曲データの送信を一時停止又は完全に停止させる。また制御部５０は、ユーザによるリモートコントローラ５の早送りキー２０や早戻しキー２１に対する押下操作に応じて早送り命令や早戻し命令が入力されると、無線アダプタ５１から当該早送り命令や早戻し命令を示す信号をサーバ２に送信する。これにより制御部５０は、サーバ２に対し楽曲データを間引いてデータ後尾側に進めるように送信させ、又は楽曲データを間引いてデータ先頭側にさかのぼるように送信させ、かくして楽曲の早送りや早戻しを実現する。さらに制御部５０は、ユーザによるリモートコントローラ５の曲送りキー２２や曲戻しキー２３に対する押下操作に応じて曲送り命令や曲戻し命令が入力されると、楽曲要求リストやお気に入りリスト、またプレイリストに従い楽曲データを要求するためのＵＲＬを変更し、当該変更したＵＲＬに従い楽曲データ要求信号を送信する。これにより制御部５０は、サーバ２に対し送信すべき楽曲データを変更させ、かくして楽曲の曲送りや曲戻しを実現する。
【００３６】
さらにまた制御部５０は、楽曲データに対するストリーミング形式の再生処理中に、ユーザによるリモートコントローラ５の繰返再生形態選択キー２５の押下操作に応じて一曲繰返再生選択命令が入力されると、その時点に再生処理している楽曲データを一曲繰返再生形態に準じて繰り返し再生処理する楽曲データとして認識する。そして制御部５０は、かかる楽曲データに対するストリーミング形式の再生処理が終了する毎に、無線ＬＡＮアダプタ５１から当該楽曲データを要求する楽曲データ要求信号を送信する。このようにして制御部５０は、ユーザにより楽曲の再生形態として一曲繰返再生形態が選択された場合、当該ユーザにより選択された１曲の楽曲をクレードル４のスピーカから繰り返し出力させる。また制御部５０は、ユーザによるリモートコントローラ５の繰返再生形態選択キー２５の押下操作に応じて複数繰返再生選択命令が入力されると、楽曲要求リスト、お気に入りリスト又はプレイリストを利用して複数の楽曲データを一通りストリーミング形式で再生処理し終えたとき、再び同一の楽曲要求リスト、お気に入りリスト又はプレイリストを利用して楽曲データを要求するようにしてストリーミング形式で再生処理する。このようにして制御部５０は、ユーザにより楽曲の再生形態として複数繰返再生形態が選択された場合、同一の楽曲要求リスト、お気に入りリスト又はプレイリストを継続的に利用して、当該楽曲要求リスト、お気に入りリスト又はプレイリストに登録されている複数の楽曲を循環的に繰り返しクレードル４のスピーカから出力させる。
【００３７】
さらに制御部５０は、楽曲データをストリーミング形式で再生処理する際に、ユーザによるリモートコントローラ５の再生形態選択キー２６の押下操作に応じて通常再生命令が入力されると、楽曲要求リスト、お気に入りリスト又はプレイリストに含まれる楽曲データ要求用のＵＲＬを、当該楽曲要求リスト、お気に入りリスト又はプレイリストに含まれている順番通りに用いて楽曲データ要求信号を送信する。このようにして制御部５０は、ユーザにより楽曲の再生形態として通常再生形態が選択された場合、楽曲要求リスト、お気に入りリスト又はプレイリストに登録されている複数の楽曲をその登録順番通りにクレードル４のスピーカから出力させる。これに対して制御部５０は、楽曲データをストリーミング形式で再生処理する際に、ユーザによるリモートコントローラ５の再生形態選択キー２６の押下操作に応じて並替再生命令が入力されると、楽曲要求リスト、お気に入りリスト又はプレイリストに含まれる楽曲データ要求用のＵＲＬを、当該楽曲要求リスト、お気に入りリスト又はプレイリストに含まれている順番を無作為に並べ替えた他の順番で用いて楽曲データ要求信号を送信する。このようにして制御部５０は、ユーザにより楽曲の再生形態として並替再生形態が選択された場合、楽曲要求リスト、お気に入りリスト又はプレイリストに登録されている複数の楽曲を、その登録順番を無作為に並べ替えた他の順番でクレードル４のスピーカから出力させる。
【００３８】
これに加えて制御部５０は、ユーザによるリモートコントローラ５の機能選択キー１２の押下操作に応じて配信データ取込命令が入力されると、配信データ取込機能を実現する配信データ取込モードに移行する。制御部５０は、配信データ取込モードに移行すると、無線ＬＡＮアダプタ５１から配信データ要求信号をサーバ２に送信する。その結果、制御部５０は、ネットワーク上で配信されている楽曲データがサーバ２経由で送信されると、これを無線ＬＡＮアダプタ５１を介して受信しつつ、上述した楽曲データ取込モード時と同様に、かかる楽曲データをストリーミング形式で再生処理し、得られた楽曲信号をクレードル４に送出する。このようにして制御部５０は、ユーザにより配信データ取込機能を実現するように要求された場合、ネットワーク上で配信されている楽曲データをクレードル４のスピーカから楽曲として出力してユーザに聴取させることができる。また制御部５０は、ユーザによるリモートコントローラ５の機能選択キー３７の押下操作に応じてラジオ番組取込命令が入力されると、ラジオ番組取込機能を実現するラジオ番組取込モードに移行する。制御部５０は、ラジオ番組取込モードに移行すると、無線ＬＡＮアダプタ５１からラジオ番組要求信号をサーバ２に送信する。その結果、制御部５０は、ネットワークを介して放送されているラジオ番組の番組音声データがサーバ２経由で送信されると、これを無線ＬＡＮアダプタ５１を介して受信しつつ、上述した楽曲データ取込モード時と同様に、かかる番組音声データをストリーミング形式で再生処理し、得られた番組音声信号をクレードル４に送出する。このようにして制御部５０は、ユーザによりラジオ番組取込機能を実現するように要求された場合、ネットワークを介して放送されているラジオ番組の番組音声データをクレードル４のスピーカからラジオ番組の番組音声として出力してユーザに聴取させることができる。
【００３９】
ところで制御部５０は、ユーザによるリモートコントローラ５の音量調節キー３８及び３９の押下操作に応じて音量調節量と共に音量調節命令が入力されると、かかる音量調節量に応じて音量調節制御信号を生成し、これをモジュール側端子４８からクレードル４に送出する。これにより制御部５０は、クレードル４において楽曲やラジオ番組の番組音声に対する音量を調節させる。また制御部５０は、ユーザによるリモートコントローラ５のサラウンドキー４４やイコライジングキー４５の押下操作に応じてサラウンドオン命令やイコライジングオン命令が入力されると、サラウンド用に予め選定された音質に制御するサラウンド音質制御信号やイコライジング用に予め選定された音質に制御するイコライジング音質制御信号をモジュール側端子４８からクレードル４に送出する。これにより制御部５０は、クレードル４において楽曲やラジオ番組の番組音声をサラウンド用やイコライジング用に予め選定された音質に調節させる。この状態で制御部５０は、ユーザによるリモートコントローラ５の高音域調節キー４０及び４１や低音域調節キー４２及び４３の押下操作に応じて高音域調節量と共に高音域調節命令や低音域調節量と共に低音域調節命令が入力されると、かかる高音域調節量に応じた高音域調節制御信号や低音域調節量に応じた低音域調節制御信号を生成し、これをモジュール側端子４８からクレードル４に送出する。これにより制御部５０は、クレードル４において楽曲やラジオ番組の番組音声の高音域や低音域に対する音質をサラウンド用に予め選定された音質やイコライジング用に予め選定された音質をベースにして調節させる。
【００４０】
このようにして制御部５０は、ユーザに対し楽曲データに基づく楽曲や、ラジオ番組の番組音声データに基づく番組音声を種々の状態で聴取させることができる。そして制御部５０は、このようにサーバ２及びクレードル４と共に楽曲やラジオ番組の番組音声をユーザに聴取させる場合、表示部５４において表示コントローラ５５を介してディスプレイ３Ｂに後述する表示子（以下、これをアイコンと呼ぶ）や文字等を表示する。これにより制御部５０は、ユーザに対しディスプレイ３Ｂの表示内容により実現中の機能や当該ユーザにより選択された情報等を目視確認させ得るようになされている。
【００４１】
次いで、図１６を用いてサーバ２の回路構成について説明する。サーバ２は、中央処理ユニット（CPU:Central Processing Unit ）６０が、ハードディスクドライブ６１又はＲＯＭ（Read Only Memory）６２から読み出した各種プログラムをＲＡＭ（Random Access Memory）６３で展開して実行することにより、全体を統括的に制御して各種処理を実行する。これにより中央処理ユニット６０は、無線ＬＡＮアダプタ６４を介して、無線通信モジュール３と同様の無線ＬＡＮ規格に準じて当該無線通信モジュール３と無線通信し得るようになされている。また中央処理ユニット６０は、例えばハードディスクドライブ６１に対し多数の楽曲データを圧縮符号化し圧縮楽曲データとして記憶していると共に、楽曲関連情報、お気に入りリスト、プレイリスト等の種々のデータも記憶している。そして中央処理ユニット６０は、ハードディスクドライブ６１に記憶した多数の楽曲データを図５について上述したように「ジャンル」、「アーティスト」及び「アルバムディスク」という種別により多階層構造で管理している。
【００４２】
この状態で中央処理ユニット６０は、無線通信モジュール３から送信されたサーバ探索信号を、無線ＬＡＮアダプタ６４を介して受信すると、これに応じて返答信号を無線ＬＡＮアダプタ６４から無線通信モジュール３に返信する。また中央処理ユニット６０は、引き続き無線通信モジュール３から送信されたサーバ情報要求信号を、無線ＬＡＮアダプタ６４を介して受信すると、これに応じて自己のサーバ２に関するサーバ情報を無線ＬＡＮアダプタ６４から無線通信モジュール３に返信する。ここで中央処理ユニット６０は、自己のサーバ２が無線通信モジュール３に対応させて製造されたものであると、引き続き無線通信モジュール３から送信されたリスト要求信号を、無線ＬＡＮアダプタ６４を介して受信する。これにより中央処理ユニット６０は、図６乃至図１３について上述したように、種別リスト（すなわち、ジャンルリストＪＬ、アーティストリストＲＬ及びアルバムリストＤＬ）と全曲リストＡＬとを生成し、これらを無線ＬＡＮアダプタ６４から無線通信モジュール３に送信する。また中央処理ユニット６０は、無線通信モジュール３から送信された部分リスト要求信号を、無線ＬＡＮアダプタ６４を介して受信すると、これに応じて図１４及び図１５について上述したようにアーティスト部分リストＲＰＬやアルバム部分リストＤＰＬを生成し、これらを無線ＬＡＮアダプタ６４から無線通信モジュール３に送信する。一方、中央処理ユニット６０は、自己のサーバ２が無線通信モジュール３に対応させて製造されたもの以外であると、無線通信モジュール３から送信された階層構造情報要求信号を、無線ＬＡＮアダプタ６４を介して受信する。これにより中央処理ユニット６０は、ハードディスクドライブ６１に記憶している全ての圧縮楽曲データ（すなわち、楽曲データ）の管理用の階層構造情報を無線ＬＡＮアダプタ６４から無線通信モジュール３に送信する。
【００４３】
そして中央処理ユニット６０は、無線通信モジュール３から送信された楽曲データ要求信号を、無線ＬＡＮアダプタ６４を介して受信すると、ハードディスクドライブ６１から当該楽曲データ要求信号で指定された圧縮楽曲データを読み出してサウンドプロセッサ６５に送出する。サウンドプロセッサ６５は、中央処理ユニット６０から与えられた圧縮楽曲データに対し復号処理等のデジタル処理を施し、その結果得られたリニアＰＣＭフォーマットの楽曲データを無線ＬＡＮアダプタ６４から無線通信モジュール３に送信する。このようにして中央処理ユニット６０は、ハードディスクドライブ６１に記憶している多数の楽曲データを無線通信モジュール３に対し無線で送信し得るようになされている。
【００４４】
因みに中央処理ユニット６０は、無線通信モジュール３から送信された配信データ要求信号を、無線ＬＡＮアダプタ６４を介して受信すると、通信処理部６６及びネットワークインタフェース部６７を順次介してネットワーク上の配信サーバにアクセスして楽曲データを要求する。その結果、中央処理ユニット６０は、かかる配信サーバから送信された圧縮楽曲データをネットワークインタフェース部６７及び通信処理部６６を順次介して受信すると共に、当該受信した圧縮楽曲データを、サウンドプロセッサ６５を介してリニアＰＣＭフォーマットの楽曲データとして無線ＬＡＮアダプタ６４から無線通信モジュール３に送信する。また中央処理ユニット６０は、無線通信モジュール３から送信されたラジオ番組要求信号を、無線ＬＡＮアダプタ６４を介して受信すると、ネットワークを介して放送されているラジオ番組の番組音声データをネットワークインタフェース部６７及び通信処理部６６を順次介して受信すると共に、その番組音声データをサウンドプロセッサ６５を介して無線ＬＡＮアダプタ６４から無線通信モジュール３に送信する。
【００４５】
次いで、図１７を用いてクレードル４の回路構成について説明する。クレードル４は、図示しないＡＣ（alternating current ）アダプタを介して供給される電源により動作し、例えばマイクロコンピュータ構成の制御部７０が、操作キー７１を介して入力される各種命令や無線通信モジュール３から与えられる各種制御信号に応じて、内蔵メモリ（図示せず）から読み出した各種プログラムを実行することにより全体を統括的に制御する。これにより制御部７０は、クレードル４全体を起動させた状態で、載置部４Ａに無線通信モジュール３が載置されると、かかる無線通信モジュール３に対してクレードル側端子４Ｂから電源を供給する。また制御部７０は、無線通信モジュール３から楽曲信号や番組音声信号が送信されると、これら楽曲信号や番組音声信号を、クレードル側端子４Ｂを介して取り込んでアナログデジタルコンバータ（以下、これをＡＤコンバータと呼ぶ）７２に送出する。
【００４６】
ＡＤコンバータ７２は、楽曲信号や番組音声信号に対しアナログデジタル変換処理を施し、その結果得られた楽曲データや番組音声データをサウンドプロセッサ７３に送出する。サウンドプロセッサ７３は、ＡＤコンバータ７２から与えられた楽曲データや番組音声データに対しイコライジング処理等のデジタル処理を施してＤＡコンバータ７４に送出する。これによりＤＡコンバータ７４は、サウンドプロセッサ７３から与えられた楽曲データや番組音声データに対しデジタルアナログ変換処理を施し、その結果得られた楽曲信号や番組音声信号を、アンプ７５を介してスピーカ７６に送出する。これにより制御部７０は、スピーカ７６から楽曲信号に基づく楽曲や番組音声信号に基づくラジオ番組の番組音声を出力させてユーザに聴取させることができる。
【００４７】
因みに制御部７０は、無線通信モジュール３から送出された音量調節制御信号を、クレードル側端子４Ｂを介して取り込むと、かかる音量調節制御信号に基づきアンプ７５を制御して楽曲信号や番組音声信号の増幅率を調節する。これにより制御部７０は、ユーザの要求通りに楽曲や番組音声の音量を調節することができる。また制御部７０は、無線通信モジュール３から送出されたサラウンド音質制御信号やイコライジング音質制御信号を、クレードル側端子４Ｂを介して取り込むと、これらサラウンド音質制御信号やイコライジング音質制御信号に基づきサウンドプロセッサ７３を制御する。これにより制御部７０は、楽曲や番組音声の音質を予め選定されたサラウンド用やイコライジング用に調節する。この状態で制御部７０は、無線通信モジュール３から送出された高音域調節制御信号や低音域調節制御信号を、クレードル側端子４Ｂを介して取り込むと、これら高音域調節制御信号や低音域調節制御信号に基づきサウンドプロセッサ７３を制御する。これにより制御部７０は、楽曲や番組音声の高音域や低音域に対する音質をサラウンド用に予め選定された音質やイコライジング用に予め選定された音質をベースにして調節する。なお制御部７０は、音量や現在時刻等の各種情報を、表示コントローラ７７を介してディスプレイ７８に表示することで、これら各種情報をユーザに通知することもできる。
【００４８】
かかる構成に加えて無線通信モジュール３の制御部５０（図４）は、上述したような各種処理を実行した場合、ディスプレイ３Ｂに対し図１８に示すような表示画面８０を表示する。かかる表示画面８０は、画面内上側に２列の文字表示欄８１Ａ及び８１Ｂが設けられ、これら２列の文字表示欄８１Ａ及び８１Ｂにそれぞれ、ユーザにより検索キーワードとして選択されるジャンル名やアーティスト名、アルバム名等の文字を表示し得るようになされている。また表示画面８０は、画面内中央部に中央部アイコン表示領域８２と、再生時間表示部８３とが並べて設けられている。中央部アイコン表示領域８２には、無線通信モジュール３とサーバ２との通信状態を通知するための通信状態通知アイコン８４と、通信相手のサーバ２の種類（すなわち、無線通信モジュール３に対応させて製造されたものか否か）を通知するためのサーバ通知アイコン８５と、楽曲の再生を通知するための再生通知アイコン８６と、楽曲の再生の一時停止を通知するための一時停止通知アイコン８７とを表示し得るようになされている。
【００４９】
さらに表示画面８０は、画面内下側に下側アイコン表示領域８８が設けられている。かかる下側アイコン表示領域８８には、再生中の楽曲がユーザにより気に入られた楽曲であるか否かを通知するためのお気に入り通知アイコン８９と、楽曲の再生形態として通常再生形態が選択されたことを通知するための通常再生通知アイコン９０と、楽曲の再生形態として並替再生形態が選択されたことを通知するための並替再生通知アイコン９１と、楽曲の再生形態として一曲繰返再生形態や複数繰返再生形態が選択されたことを通知するための繰返再生通知アイコン９２と、スリープモードに移行したことを通知するためのスリープモード通知アイコン９３とを表示し得るようになされている。また下側アイコン表示領域８８には、楽曲の再生にプレイリストを利用していることを通知するためのプレイリスト再生通知アイコン９４と、配信データ取込モードに移行したことを通知するための配信データ取込通知アイコン９５と、ラジオ番組取込モードに移行したことを通知するためのラジオ番組取込通知アイコン９６とを表示し得るようになされている。
【００５０】
そして無線通信モジュール３の制御部５０は、表示画面８０内に文字やアイコンを何ら表示しない状態から処理の実行状況等に応じて適宜文字やアイコンを表示している。すなわち制御部５０は、例えば無線通信しているサーバ２が無線通信モジュール３に対応させて製造されたものであると、表示画面８０内にサーバ通知アイコン８５を表示する。また制御部５０は、サーバ２と無線通信した場合、楽曲データ等の通信状態を検出し、その検出結果に応じて通信状態通知アイコン８４の少なくとも一部を表示する。さらに制御部５０は、ユーザによるリモートコントローラ５の再生開始キー１７の押下操作に応じて楽曲データの再生処理を実行すると、その再生処理を実行している間、表示画面８０内に再生通知アイコン８６を表示する。そして制御部５０は、楽曲データの再生処理中にユーザによるリモートコントローラ５の一時停止キー１８の押下操作に応じて、かかる再生処理を一時停止すると、その一時停止の間、表示画面８０内に一時停止通知アイコン８７を表示する。
【００５１】
因みに制御部５０は、通常、楽曲データの再生処理中に、表示画面８０内の再生時間表示部８３に対し、楽曲の再生時間を加算表示形態で表示する。そして制御部５０は、かかる楽曲データの再生処理中に、ユーザによりリモートコントローラ５の再生時間表示切替キー２４が押下操作されると、これに応じて表示画面８０内の再生時間表示部８３に対し楽曲の再生時間を減算表示形態で表示し、再生時間表示切替キー２４が再び押下操作されると、再生時間表示部８３に対し楽曲の再生時間を加算表示形態で表示する。このようにして制御部５０は、ユーザによる再生時間表示切替キー２４の押下操作に応じて、再生時間表示部８３に対する楽曲の再生時間の表示形態を切り替える。
【００５２】
さらにまた制御部５０は、お気に入りリストを利用して楽曲データを再生処理している間や、楽曲データの再生処理中にユーザにより楽曲が気に入られてリモートコントローラ５の楽曲登録キー１４が押下操作されたとき、表示画面８０内にお気に入り通知アイコン８９を表示する。さらに制御部５０は、ユーザによるリモートコントローラ５の再生形態選択キー２６の押下操作に応じて通常再生形態が選択された場合、表示画面８０内に通常再生通知アイコン９０を表示し、かかる再生形態選択キー２６の押下操作に応じて並替再生形態が選択された場合、表示画面８０内に並替再生通知アイコン９１を表示する。さらに制御部５０は、ユーザによるリモートコントローラ５の繰返再生形態選択キー２５の押下操作に応じて一曲繰返再生形態が選択された場合、表示画面８０内に繰返再生通知アイコン９２全体（例えば、図中の「ＲＥＰ１」という文字である）を表示し、かかる繰返再生形態選択キー２５の押下操作に応じて複数繰返再生形態が選択された場合、表示画面８０内に繰返再生通知アイコン９２の一部（例えば、図中の「ＲＥＰ」という文字のみ）を表示する。さらに制御部５０は、ユーザによるリモートコントローラ５のスリープモードキー１１の押下操作に応じてスリープモードに設定すると、その時点から無線通信モジュール３の電源をオフするまでの間、表示画面８０内にスリープモード通知アイコン９３を表示する。
【００５３】
また制御部５０は、サーバ２から取得したプレイリストを利用して楽曲データを再生処理している場合、表示画面８０内にプレイリスト再生通知アイコン９４を表示し、配信データ取込モードに移行して配信サーバの提供する楽曲データを再生処理している場合には、表示画面８０内に配信データ取込通知アイコン９５を表示する。さらに制御部５０は、ラジオ番組取込モードに移行してラジオ番組の番組音声データを再生処理している場合、表示画面８０内にラジオ番組取込通知アイコン９６を表示する。
【００５４】
これに加えて表示画面８０（図１８）の下側アイコン表示領域８８には、リモートコントローラ５のジャンル選択キー３１に対応し、かつユーザによりキーワード種別としての「ジャンル」が選択されたことを通知するためのキーワード種別選択通知アイコン（以下、これをジャンル選択通知アイコンと呼ぶ）１００を表示し得るようになされている。また下側アイコン表示領域８８には、リモートコントローラ５のアーティスト選択キー３２に対応し、かつユーザによりキーワード種別としての「アーティスト」が選択されたことを通知するためのキーワード種別選択通知アイコン（以下、これをアーティスト選択通知アイコンと呼ぶ）１０１を表示し得るようになされている。さらに下側アイコン表示領域８８には、リモートコントローラ５のアルバム選択キー３３に対応し、かつユーザによりキーワード種別としての「アルバムディスク」が選択されたことを通知するためのキーワード種別選択通知アイコン（以下、これをアルバム選択通知アイコンと呼ぶ）１０２を表示し得るようになされている。
【００５５】
さらに下側アイコン表示領域８８には、検索キーワードとしてのジャンル名が選択可能な状態であることを通知するための枠状のキーワード選択可能通知アイコン（以下、これをジャンル名選択可能通知アイコンと呼ぶ）１０３を、ジャンル選択通知アイコン１００を囲むように表示し得るようになされている。また下側アイコン表示領域８８には、検索キーワードとしてのアーティスト名が選択可能な状態であることを通知するための枠状のキーワード選択可能通知アイコン（以下、これをアーティスト名選択可能通知アイコンと呼ぶ）１０４を、アーティスト選択通知アイコン１０１を囲むように表示し得るようになされている。さらに下側アイコン表示領域８８には、検索キーワードとしてのアルバム名が選択可能な状態であることを通知するための枠状のキーワード選択可能通知アイコン（以下、これをアルバム名選択可能通知アイコンと呼ぶ）１０５を、アルバム選択通知アイコン１０２を囲むように表示し得るようになされている。
【００５６】
制御部５０は、ユーザによりリモートコントローラ５のジャンル選択キー３１が押下操作されると（すなわち、かかる押下操作に応じてジャンル選択命令が入力されると）、そのユーザにより選択されたキーワード種別が「ジャンル」であると判別し、表示画面８０内にジャンル選択通知アイコン１００を表示する。また制御部５０は、ユーザによりリモートコントローラ５のアーティスト選択キー３２が押下操作されると（すなわち、かかる押下操作に応じてアーティスト選択命令が入力されると）、そのユーザにより選択されたキーワード種別が「アーティスト」であると判別し、表示画面８０内にアーティスト選択通知アイコン１０１を表示する。さらに制御部５０は、ユーザによりリモートコントローラ５のアルバム選択キー３３が押下操作されると（すなわち、かかる押下操作に応じてアルバム選択命令が入力されると）、そのユーザにより選択されたキーワード種別が「アルバムディスク」であると判別し、表示画面８０内にアルバム選択通知アイコン１０２を表示する。
【００５７】
そしてジャンル選択通知アイコン１００は、例えば上述したジャンル選択キー３１の表面に描かれたキーワード種別としての「ジャンル」を示す音符の絵柄と同様の絵柄に形成されている。またアーティスト選択通知アイコン１０１は、例えば上述したアーティスト選択キー３２の表面に描かれたキーワード種別としての「アーティスト」を示す人の絵柄と同様の絵柄に形成されている。さらにアルバム選択通知アイコン１０２は、アルバム選択キー３３の表面に描かれたキーワード種別としての「アルバムディスク」を示すディスクの絵柄と同様の絵柄に形成されている。従って制御部５０は、ユーザによりリモートコントローラ５のジャンル選択キー３１、アーティスト選択キー３２及びアルバム選択キー３３が押下操作されたとき、これに応じて表示画面８０内に表示するジャンル選択通知アイコン１００、アーティスト選択通知アイコン１０１及びアルバム選択通知アイコン１０２により、当該ユーザに対し押下操作されたジャンル選択キー３１、アーティスト選択キー３２及びアルバム選択キー３３を容易にかつ的確に確認させ得ると共に、かかる押下操作により選択されたキーワード種別（すなわち、「ジャンル」、「アーティスト」及び「アルバムディスク」）も容易にかつ的確に確認させ得るようになされている。
【００５８】
また表示画面８０内には、ジャンル選択通知アイコン１００、アーティスト選択通知アイコン１０１及びアルバム選択通知アイコン１０２が、上位のキーワード種別（すなわち、「ジャンル」）から下位のキーワード種別（すなわち、「アルバムディスク」）までの階層を辿る並びに対応させて１列に配置されている。そして制御部５０は、上位のキーワード種別が選択された後、下位のキーワード種別が引き続き選択されると、表示画面８０内にこれらキーワード種別に対応するジャンル選択通知アイコン１００、アーティスト選択通知アイコン１０１及びアルバム選択通知アイコン１０２をそれぞれ表示する。これにより制御部５０は、表示画面８０内におけるジャンル選択通知アイコン１００、アーティスト選択通知アイコン１０１及びアルバム選択通知アイコン１０２の表示状態により、例えばユーザがどのように上位のキーワード種別から下位のキーワード種別までを順番に階層を辿るように選択して検索条件を絞り込んだかを容易に確認させ得るようになされている。そしてリモートコントローラ５（図３）においても、一面５Ａにジャンル選択キー３１、アーティスト選択キー３２及びアルバム選択キー３３を上位のキーワード種別（すなわち、「ジャンル」）から下位のキーワード種別（すなわち、「アルバムディスク」）までの階層を辿る並びに対応させて１列に配置している。従って制御部５０は、リモートコントローラ５の一面５Ａにおけるジャンル選択キー３１、アーティスト選択キー３２及びアルバム選択キー３３の配置位置により、ユーザがキーワード種別を上位から下位に順番に階層を辿るように選択して検索条件を絞り込む際、そのユーザに対し検索条件の絞り込みに合わせて当該ジャンル選択キー３１、アーティスト選択キー３２及びアルバム選択キー３３を容易に押下操作させ得るようになされている。
【００５９】
ところで制御部５０は、ユーザに対しキーワード種別毎に検索キーワードとしてのジャンル名、アーティスト名、アルバム名を任意に選択させるものの、上位のキーワード種別から下位のキーワード種別までが順次選択される毎に、当該選択されたキーワード種別よりも１階層上位のキーワード種別で選択された検索キーワードを自動的に検索条件とし、最も下位の１つのキーワード種別でのみ任意に検索キーワードを選択させている。これにより制御部５０は、ユーザに対し検索条件を容易かつ的確に絞り込んで設定させ得るようになされている。そして制御部５０は、ユーザにより少なくとも１つのキーワード種別が選択された場合、その選択の中で最も下位となる１つのキーワード種別に対応する１つのジャンル選択通知アイコン１００、アーティスト選択通知アイコン１０１又はアルバム選択通知アイコン１０２のみを囲むようにジャンル名選択可能通知アイコン１０３、アーティスト名選択可能通知アイコン１０４又はアルバム名選択可能通知アイコン１０５を表示する。これにより制御部５０は、ユーザにより１つのキーワード種別でのみ検索キーワードが選択されるときや、複数のキーワード種別で順次検索キーワードが選択されるとき、当該検索キーワードが選択可能な状態の唯一のキーワード種別を的確に確認させ得るようになされている。
【００６０】
また制御部５０は、検索キーワードの選択に表示画面８０内の文字表示欄８１Ａ及び８１Ｂを利用している。実際上、制御部５０は、例えばユーザによりジャンル選択キー３１、アーティスト選択キー３２又はアルバム選択キー３３の何れか１つが押下操作されキーワード種別が選択されると、表示画面８０内の上下２列の文字表示欄８１Ａ及び８１Ｂのうち上段の文字表示欄（以下、これを特に上段文字表示欄と呼ぶ）８１Ａに対し、当該選択されたキーワード種別に対応する種別リスト内の例えば先頭のジャンル名、アーティスト名又はアルバム名を表示する。そして制御部５０は、引き続きユーザにより同一のジャンル選択キー３１、アーティスト選択キー３２又はアルバム選択キー３３が押下操作され、又は他方向キーワード選択キー３４及び又は一方向キーワード選択キー３５が押下操作されると、これに応じて、表示画面８０内の上段文字表示欄８１Ａに表示するジャンル名、アーティスト名又はアルバム名を切り替える。このようにして制御部５０は、ユーザに対し表示画面８０内で検索キーワードとしてのジャンル名、アーティスト名及びアルバム名を実際に目視させて確認させながら選択させ得るようになされている。
【００６１】
また制御部５０は、ユーザにより上位のキーワード種別及び検索キーワードの選択に引き続きジャンル選択キー３１、アーティスト選択キー３２又はアルバム選択キー３３の押下操作によって下位のキーワード種別が選択されると、それまで表示画面８０内の上段文字表示欄８１Ａに表示していたジャンル名のような検索キーワードを下段の文字表示欄（以下、これを特に下段文字表示欄と呼ぶ）８１Ｂに移動して表示し、当該上段文字表示欄８１Ａには、ユーザにより新たに選択された下位のキーワード種別に対応する種別リスト内の例えば先頭のアーティスト名又はアルバム名を表示する。そして制御部５０は、引き続きユーザにより同一のアーティスト選択キー３２又はアルバム選択キー３３が押下操作され、又は他方向キーワード選択キー３４及び又は一方向キーワード選択キー３５が押下操作されると、これに応じて、表示画面８０内の上段文字表示欄８１Ａに表示するアーティスト名又はアルバム名を切り替える。このようにして制御部５０は、上位の検索キーワードの選択に引き続き、ユーザに対し表示画面８０内で下位の検索キーワードとしてのアーティスト名又はアルバム名を実際に目視させて確認させながら選択させ得るようになされている。
【００６２】
さらに制御部５０は、表示画面８０内に上下２列の上段文字表示欄８１Ａ及び下段文字表示欄８１Ｂしか設けられていないため、ユーザによりジャンル選択キー３１及びアーティスト選択キー３２の押下操作によりキーワード種別としての「ジャンル」及び「アーティスト」が順位選択された後、さらにアルバム選択キー３３の押下操作によりキーワード種別としての「アルバムディスク」も選択されると、それまで表示画面８０内の下段文字表示欄８１Ｂに表示していた検索キーワードとしてのジャンル名を消去し、上段文字表示欄８１Ａに表示していた検索キーワードとしてのアーティスト名を下段文字表示欄８１Ｂに移動して表示すると共に、当該上段文字表示欄８１Ａには、ユーザにより選択された「アルバムディスク」に対応するアルバムリストＤＬ内の例えば先頭のアルバム名を表示する。そして制御部５０は、引き続きユーザによりアルバム選択キー３３や他方向キーワード選択キー３４及び又は一方向キーワード選択キー３５が押下操作されると、これに応じて、表示画面８０内の上段文字表示欄８１Ａに表示するアルバム名を切り替える。このようにして制御部５０は、上位のキーワード種別としての「ジャンル」及び「アーティスト」で選択された検索キーワードを検索条件としたまま、ユーザに対し表示画面８０内で下位の検索キーワードとしてのアルバム名を実際に目視させて確認させながら選択させ得るようになされている。
【００６３】
因みに制御部５０は、ユーザにより３種類全てのキーワード種別が選択されているときに、リモートコントローラ５の表示切替キー１６に対する押下操作に応じて表示切替命令が入力されると、それまで表示画面８０内の上段文字表示欄８１Ａに表示していた検索キーワードとしてのアルバム名を一旦消去し、下段文字表示欄８１Ｂに表示していた検索キーワードとしてのアーティスト名を上段文字表示欄８１Ａに戻して表示すると共に、当該下段文字表示欄８１Ｂには、上位の「ジャンル」で選択されていた検索キーワードとしてのジャンル名を再び表示する。このようにして制御部５０は、検索キーワードを表示するための上段文字表示欄８１Ａ及び下段文字表示欄８１Ｂがキーワード種別の数よりも少ない上下２列しか設けられていなくても、３種類全てのキーワード種別が選択された場合には、これら上段文字表示欄８１Ａ及び下段文字表示欄８１Ｂに対する表示内容を切り替えて、キーワード種別毎に選択された検索キーワードを適宜確認させることができる。
【００６４】
また制御部５０は、ユーザにより下位のキーワード種別が選択された後、これよりも上位のキーワード種別が選択されると、その時点で下位のキーワード種別で選択されていた検索キーワードと当該下位のキーワード種別自体の選択とを取り消す。この場合、制御部５０は、表示画面８０内の上段文字表示欄８１Ａには、選択を取り消してはいない検索キーワードのうち下位の検索キーワードを表示し、下段文字表示欄８１Ｂには、同様に選択を取り消してはいない検索キーワードのうち上位の検索キーワードを表示する。このようにして制御部５０は、表示画面８０内の上段文字表示欄８１Ａ及び下段文字表示欄８１Ｂのうち上段文字表示欄８１Ａには、現在選択されている最も下位のキーワード種別で区別される検索キーワードを表示し、下段文字表示欄８１Ｂには、キーワード種別の選択状況に応じて適宜上位のキーワード種別で区別される検索キーワードを表示する。
【００６５】
ところで制御部５０は、下位のキーワード種別の選択の取り消しを、当該下位のキーワード種別における検索キーワードの選択確定の有無にかかわらずに実行している。従って制御部５０は、ユーザに対し検索キーワードの選択の変更を容易に行わせることができると共に、何ら関係のない下位の検索キーワードが選択されたままとなり、ユーザの予期せぬ検索条件が設定されることを確実に回避することができる。そして制御部５０は、下位のキーワード種別が選択された後、上位のキーワード種別が引き続き選択された場合、表示画面８０内では、下位のキーワード種別に対応するアーティスト選択通知アイコン１０１やアルバム選択通知アイコン１０２を消灯し、かつ上位のキーワード種別に対応するジャンル選択通知アイコン１００やアーティスト選択通知アイコン１０１を表示する。これにより制御部５０は、かかる下位のキーワード種別に対応するアーティスト選択通知アイコン１０１やアルバム選択通知アイコン１０２の消灯により、その時点で下位のキーワード種別で選択された検索キーワードと当該下位のキーワード種別自体の選択とを取り消したことをユーザに通知し得るようになされている。
【００６６】
すなわち図１９に示すように、制御部５０は、キーワード種別が全く選択されてはいない状態（以下、これを第１の状態と呼ぶ）で、ユーザによりジャンル選択キー３１が押下操作され「ジャンル」が選択されると、表示画面８０内にジャンル選択通知アイコン１００を表示する。これにより制御部５０は、ユーザに対し、かかるジャンル選択通知アイコン１００の表示で、キーワード種別として「ジャンル」が選択されたことを通知する。このとき制御部５０は、表示画面８０においてジャンル選択通知アイコン１００を囲むジャンル名選択可能通知アイコン１０３を表示する。これにより制御部５０は、ユーザに対し、「ジャンル」というキーワード種別で区別される検索キーワードとしてのジャンル名が選択可能になったことも通知する。
【００６７】
また制御部５０は、第１の状態で、ユーザによるアーティスト選択キー３２の押下操作により「アーティスト」が選択されると、表示画面８０内にアーティスト選択通知アイコン１０１を表示する。これにより制御部５０は、ユーザに対し、かかるアーティスト選択通知アイコン１０１の表示で、キーワード種別として「アーティスト」が選択されたことを通知する。このとき制御部５０は、表示画面８０においてアーティスト選択通知アイコン１０１を囲むアーティスト名選択可能通知アイコン１０４を表示する。これにより制御部５０は、ユーザに対し、「アーティスト」というキーワード種別で区別される検索キーワードとしてのアーティスト名が選択可能になったことも通知する。
【００６８】
さらに制御部５０は、第１の状態で、ユーザによるアルバム選択キー３３の押下操作により「アルバムディスク」が選択されると、表示画面８０内にアルバム選択通知アイコン１０２を表示する。これにより制御部５０は、ユーザに対し、かかるアルバム選択通知アイコン１０２の表示で、キーワード種別として「アルバムディスク」が選択されたことを通知する。このとき制御部５０は、表示画面８０においてアルバム選択通知アイコン１０２を囲むアルバム名選択可能通知アイコン１０５を表示する。これにより制御部５０は、ユーザに対し、「アルバムディスク」というキーワード種別で区別される検索キーワードとしてのアルバム名が選択可能になったことも通知する。
【００６９】
制御部５０は、ユーザによるアルバム選択キー３３の押下操作により「アルバムディスク」が選択され、これに応じて表示画面８０内にアルバム選択通知アイコン１０２と共にこれを囲むアルバム名選択可能通知アイコン１０５を表示した状態（以下、これを第２の状態と呼ぶ）で、当該ユーザによりジャンル選択キー３１が押下操作され「アルバムディスク」よりも上位の「ジャンル」が選択されると、表示画面８０内でアルバム選択通知アイコン１０２を消灯し、かつジャンル選択通知アイコン１００を表示する。これにより制御部５０は、ユーザに対し、新たにキーワード種別としての「ジャンル」が選択され、これに応じて当該「ジャンル」よりも下位のキーワード種別としての「アルバムディスク」及び検索キーワードとしてのアルバム名の選択を取り消したことを通知する。このとき制御部５０は、表示画面８０においてアルバム選択通知アイコン１０２を囲むアルバム名選択可能通知アイコン１０５を消灯し、かつジャンル選択通知アイコン１００を囲むジャンル名選択可能通知アイコン１０３を表示する。これにより制御部５０は、ユーザに対し、検索キーワードとしてのアルバム名は選択不可能となり、「ジャンル」というキーワード種別で区別される検索キーワードとしてのジャンル名が改めて選択可能になったことを通知する。
【００７０】
また制御部５０は、第２の状態で、ユーザによりアーティスト選択キー３２が押下操作され「アルバムディスク」よりも上位の「アーティスト」が選択されると、表示画面８０内でアルバム選択通知アイコン１０２を消灯し、かつアーティスト選択通知アイコン１０１を表示する。これにより制御部５０は、ユーザに対し、新たにキーワード種別としての「アーティスト」が選択され、これに応じて「アーティスト」よりも下位のキーワード種別としての「アルバムディスク」の選択を取り消したことを通知する。このとき制御部５０は、表示画面８０においてアルバム選択通知アイコン１０２を囲むアルバム名選択可能通知アイコン１０５を消灯し、かつアーティスト選択通知アイコン１０１を囲むアーティスト名選択可能通知アイコン１０４を表示する。これにより制御部５０は、ユーザに対し、検索キーワードとしてのアルバム名は選択不可能となり、「アーティスト」というキーワード種別で区別される検索キーワードとしてのアーティスト名が選択可能になったことも通知する。
【００７１】
ところで制御部５０は、第２の状態で、ユーザによりアルバム選択キー３３が押下操作されると、表示画面８０内におけるアルバム選択通知アイコン１０２とこれを囲むアルバム名選択可能通知アイコン１０５との表示を継続したまま、アルバムリストＤＬの中で選択されるアルバム名を切り替える。これにより制御部５０は、アルバムリストＤＬの中で任意に検索キーワードとしてのアルバム名を選択させることができる。
【００７２】
制御部５０は、ユーザによるアーティスト選択キー３２の押下操作により「アーティスト」が選択され、これに応じて表示画面８０内にアーティスト選択通知アイコン１０１と共にこれを囲むアーティスト名選択可能通知アイコン１０４を表示した状態（以下、これを第３の状態と呼ぶ）で、当該ユーザによりジャンル選択キー３１が押下操作され「アーティスト」よりも上位の「ジャンル」が選択されると、表示画面８０内でアーティスト選択通知アイコン１０１を消灯し、かつジャンル選択通知アイコン１００を表示する。これにより制御部５０は、ユーザに対し、新たにキーワード種別としての「ジャンル」が選択され、これに応じて「ジャンル」よりも下位のキーワード種別としての「アーティスト」及び検索キーワードとしてのアーティスト名の選択を取り消したことを通知する。このとき制御部５０は、表示画面８０においてアーティスト選択通知アイコン１０１を囲むアーティスト名選択可能通知アイコン１０４を消灯し、かつジャンル選択通知アイコン１００を囲むジャンル名選択可能通知アイコン１０３を表示する。これにより制御部５０は、ユーザに対し、検索キーワードとしてのアルバム名は選択不可能となり、「ジャンル」というキーワード種別で区別される検索キーワードとしてのジャンル名が改めて選択可能になったことを通知する。
【００７３】
ところで制御部５０は、第３の状態で、ユーザによりアーティスト選択キー３２が押下操作されると、表示画面８０内におけるアーティスト選択通知アイコン１０１とこれを囲むアーティスト名選択可能通知アイコン１０４との表示を継続したまま、アーティストリストＲＬの中で選択されるアーティスト名を切り替える。これにより制御部５０は、アーティストリストＲＬの中で任意に検索キーワードとしてのアーティスト名を選択させることができる。
【００７４】
また制御部５０は、第３の状態で、ユーザによりアルバム選択キー３３が押下操作され「アーティスト」よりも下位の「アルバムディスク」が選択されると、表示画面８０内でアーティスト選択通知アイコン１０１を表示したまま、アルバム選択通知アイコン１０２も表示する。これにより制御部５０は、ユーザに対し、キーワード種別としての「アーティスト」と検索キーワードとしてのアーティスト名との選択を有効にしたまま、これよりも下位のキーワード種別としての「アルバムディスク」が新たに選択されたことを通知する。このとき制御部５０は、表示画面８０においてアーティスト選択通知アイコン１０１を囲むアーティスト名選択可能通知アイコン１０４を消灯し、かつアルバム選択通知アイコン１０２を囲むアルバム名選択可能通知アイコン１０５を表示する。すなわち制御部５０は、アーティスト選択通知アイコン１０１を囲むアーティスト名選択可能通知アイコン１０４の表示を、アルバム選択通知アイコン１０２を囲むアルバム名選択可能通知アイコン１０５の表示に移行することで、ユーザに対し、第３の状態で選択されていた検索キーワードとしてのアルバム名を検索条件とし、さらに「アルバム」というキーワード種別で区別される検索キーワードとしてのアルバム名が追加で選択可能になったことを通知する。
【００７５】
制御部５０は、ユーザによりアーティスト選択キー３２が押下操作され「アーティスト」が選択された後、アルバム選択キー３３が押下操作され「アルバムディスク」が選択されたことに応じて、表示画面８０内にアーティスト選択通知アイコン１０１を表示した後、アルバム選択通知アイコン１０２とこれを囲むアルバム名選択可能通知アイコン１０５とを表示した状態（以下、これを第４の状態と呼ぶ）で、当該ユーザによりジャンル選択キー３１が押下操作され「アーティスト」及び「アルバムディスク」の両方よりも上位の「ジャンル」が選択されると、表示画面８０内でアーティスト選択通知アイコン１０１及びアルバム選択通知アイコン１０２の両方を消灯し、かつジャンル選択通知アイコン１００を表示する。これにより制御部５０は、ユーザに対し、新たにキーワード種別としての「ジャンル」が選択され、これに応じて当該「ジャンル」よりも下位のキーワード種別としての「アーティスト」及び「アルバムディスク」と検索キーワードとしてのアーティスト名及びアルバム名との選択を取り消したことを通知する。このとき制御部５０は、表示画面８０においてアルバム選択通知アイコン１０２を囲むアルバム名選択可能通知アイコン１０５を消灯し、かつジャンル選択通知アイコン１００を囲むジャンル名選択可能通知アイコン１０３を表示する。これにより制御部５０は、ユーザに対し、検索キーワードとしてのアルバム名は選択不可能となり、「ジャンル」というキーワード種別で区別される検索キーワードとしてのジャンル名が改めて選択可能になったことを通知する。
【００７６】
また制御部５０は、第４の状態で、ユーザによりアーティスト選択キー３２が押下操作され「アルバムディスク」よりも上位の「アーティスト」が再び選択されると、表示画面８０内でアルバム選択通知アイコン１０２を消灯し、かつアーティスト選択通知アイコン１０１の表示を継続する。これにより制御部５０は、ユーザに対し、「アーティスト」よりも下位のキーワード種別としての「アルバムディスク」及び検索キーワードとしてのアルバム名の選択を取り消し、当該キーワード種別としての「アーティスト」のみが選択された状態になったことを通知する。このとき制御部５０は、表示画面８０においてアルバム選択通知アイコン１０２を囲むアルバム名選択可能通知アイコン１０５を消灯し、かつアーティスト選択通知アイコン１０１を囲むアーティスト名選択可能通知アイコン１０４を表示する。これにより制御部５０は、ユーザに対し、検索キーワードとしてのアルバム名は選択不可能となり、「アーティスト」というキーワード種別で区別される検索キーワードとしてのジャンル名が改めて選択可能になったことを通知する。
【００７７】
ところで制御部５０は、第４の状態で、ユーザによりアルバム選択キー３３が押下操作されると、アーティスト選択通知アイコン１０１の表示と共に、アルバム選択通知アイコン１０２とこれを囲むアルバム名選択可能通知アイコン１０５との表示を継続したまま、アルバムリストＤＬの中で選択されるアルバム名を切り替える。これにより制御部５０は、アルバムリストＤＬの中で任意に検索キーワードとしてのアルバム名を選択させることができる。
【００７８】
制御部５０は、ユーザによりジャンル選択キー３１が押下操作され「ジャンル」が選択されたことに応じて、表示画面８０内にジャンル選択通知アイコン１００とこれを囲むジャンル名選択可能通知アイコン１０３とを表示した状態（以下、これを第５の状態と呼ぶ）で、当該ユーザによりジャンル選択キー３１が押下操作されると、表示画面８０内におけるジャンル選択通知アイコン１００とこれを囲むジャンル名選択可能通知アイコン１０３の表示を継続したまま、ジャンルリストＪＬの中で選択されるジャンル名を切り替える。これにより制御部５０は、ジャンルリストＪＬの中で任意に検索キーワードとしてのジャンル名を選択させることができる。
【００７９】
また制御部５０は、第５の状態で、ユーザによりアーティスト選択キー３２が押下操作され「ジャンル」よりも下位の「アーティスト」が選択されると、表示画面８０内でジャンル選択通知アイコン１００を表示したまま、アーティスト選択通知アイコン１０１も表示する。これにより制御部５０は、ユーザに対し、キーワード種別としての「ジャンル」と検索キーワードとしてのジャンル名との選択を有効にしたまま、これよりも下位のキーワード種別としての「アーティスト」が新たに選択されたことを通知する。このとき制御部５０は、表示画面８０においてジャンル選択通知アイコン１００を囲むジャンル名選択可能通知アイコン１０３を消灯し、かつアーティスト選択通知アイコン１０１を囲むアーティスト名選択可能通知アイコン１０４を表示する。すなわち制御部５０は、ジャンル選択通知アイコン１００を囲むジャンル名選択可能通知アイコン１０３の表示を、アーティスト選択通知アイコン１０１を囲むアーティスト名選択可能通知アイコン１０４の表示に移行することで、ユーザに対し、第５の状態で選択されていた検索キーワードとしてのジャンル名を検索条件とし、さらに「アーティスト」というキーワード種別で区別される検索キーワードとしてのアーティスト名が追加で選択可能になったことを通知する。
【００８０】
さらに制御部５０は、第５の状態で、ユーザによりアルバム選択キー３３が押下操作され「ジャンル」よりも下位の「アルバムディスク」が選択されると、表示画面８０内でジャンル選択通知アイコン１００を表示したまま、アルバム選択通知アイコン１０２も表示する。これにより制御部５０は、ユーザに対し、キーワード種別としての「ジャンル」と検索キーワードとしてのジャンル名との選択を有効にしたまま、これよりも下位のキーワード種別としての「アルバムディスク」が新たに選択されたことを通知する。このとき制御部５０は、表示画面８０においてジャンル選択通知アイコン１０１を囲むジャンル名選択可能通知アイコン１０３を消灯し、かつアルバム選択通知アイコン１０２を囲むアルバム名選択可能通知アイコン１０５を表示する。すなわち制御部５０は、ジャンル選択通知アイコン１００を囲むジャンル名選択可能通知アイコン１０３の表示を、アルバム選択通知アイコン１０２を囲むアルバム名選択可能通知アイコン１０５の表示に移行することで、ユーザに対し、第５の状態で選択されていた検索キーワードとしてのジャンル名を検索条件とし、さらに「アルバム」というキーワード種別で区別される検索キーワードとしてのアルバム名が追加で選択可能になったことを通知する。
【００８１】
制御部５０は、ユーザによりジャンル選択キー３１が押下操作され「ジャンル」が選択された後、アルバム選択キー３３が押下操作され「アルバムディスク」が選択されたことに応じて、表示画面８０内にジャンル選択通知アイコン１００を表示した後、アルバム選択通知アイコン１０２とこれを囲むアルバム名選択可能通知アイコン１０５とを表示した状態（以下、これを第６の状態と呼ぶ）で、当該ユーザによりジャンル選択キー３１が押下操作されると、表示画面８０内でジャンル選択通知アイコン１００の表示を継続したまま、アルバム選択通知アイコン１０２を消灯する。これにより制御部５０は、ユーザに対し、キーワード種別としての「アルバムディスク」と検索キーワードとしてのアルバム名との選択を取り消し、その「アルバムディスク」よりも上位のキーワード種別としての「ジャンル」の選択のみを有効にすることを通知する。このとき制御部５０は、表示画面８０においてアルバム選択通知アイコン１０２を囲むアルバム名選択可能通知アイコン１０５を消灯し、かつジャンル選択通知アイコン１００を囲むジャンル名選択可能通知アイコン１０３を表示する。これにより制御部５０は、ユーザに対し、検索キーワードとしてのアルバム名は選択不可能となり、「ジャンル」というキーワード種別で区別される検索キーワードとしてのジャンル名が改めて選択可能になったことを通知する。
【００８２】
制御部５０は、第６の状態で、ユーザによりアーティスト選択キー３２が押下操作され「ジャンル」よりも下位でかつ「アルバムディスク」よりも上位の「アーティスト」が選択されると、表示画面８０内でアルバム選択通知アイコン１０２を消灯し、かつジャンル選択通知アイコン１００については表示したまま、アーティスト選択通知アイコン１０１を表示する。これにより制御部５０は、ユーザに対し、新たにキーワード種別として「アーティスト」が選択されたことを通知すると共に、当該「アーティスト」よりも上位のキーワード種別としての「ジャンル」と検索キーワードとしてのジャンル名との選択を有効にしたまま、その「アーティスト」よりも下位のキーワード種別としての「アルバムディスク」と検索キーワードとしてのアルバム名との選択については取り消したことを通知する。このとき制御部５０は、表示画面８０においてアルバム選択通知アイコン１０２を囲むアルバム名選択可能通知アイコン１０５を消灯し、かつアーティスト選択通知アイコン１０１を囲むアーティスト名選択可能通知アイコン１０４を表示する。これにより制御部５０は、ユーザに対し、検索キーワードとしてのアルバム名は選択不可能となるものの、第６の状態で選択された検索キーワードとしてのジャンル名をそのまま検索条件として、「アーティスト」というキーワード種別で区別される検索キーワードとしてのアーティスト名が選択可能になったことを通知する。
【００８３】
ところで制御部５０は、第６の状態で、ユーザによりアルバム選択キー３３が押下操作されると、表示画面８０内におけるジャンル選択通知アイコン１０１の表示を継続し、かつアルバム選択通知アイコン１０２とこれを囲むアルバム名選択可能通知アイコン１０５との表示も継続したまま、アルバムリストＤＬの中で選択されるアルバム名を切り替える。これにより制御部５０は、アルバムリストＤＬの中で任意に検索キーワードとしてのアルバム名を選択させることができる。
【００８４】
制御部５０は、ユーザによりジャンル選択キー３１が押下操作され「ジャンル」が選択された後、アーティスト選択キー３２が押下操作され「アーティスト」が選択されたことに応じて、表示画面８０内にジャンル選択通知アイコン１００を表示した後、アーティスト選択通知アイコン１０１とこれを囲むアーティスト名選択可能通知アイコン１０４とを表示した状態（以下、これを第７の状態と呼ぶ）で、当該ユーザによりジャンル選択キー３１が押下操作されると、表示画面８０内でジャンル選択通知アイコン１００の表示を継続したまま、アーティスト選択通知アイコン１０１を消灯する。これにより制御部５０は、ユーザに対し、キーワード種別としての「ジャンル」の選択を有効にしたまま、当該「ジャンル」よりも下位のキーワード種別としての「アーティスト」と検索キーワードとしてのアーティスト名との選択を取り消したことを通知する。このとき制御部５０は、表示画面８０においてアーティスト選択通知アイコン１０１を囲むアーティスト名選択可能通知アイコン１０４を消灯し、かつジャンル選択通知アイコン１００を囲むジャンル名選択可能通知アイコン１０３を表示する。これにより制御部５０は、ユーザに対し、検索キーワードとしてのアーティスト名は選択不可能となり、「ジャンル」というキーワード種別で区別される検索キーワードとしてのジャンル名が改めて選択可能になったことを通知する。
【００８５】
また制御部５０は、第７の状態で、ユーザによりアーティスト選択キー３２が押下操作されると、表示画面８０内におけるジャンル選択通知アイコン１００の表示を継続し、かつアーティスト選択通知アイコン１０１とこれを囲むアーティスト名選択可能通知アイコン１０４との表示も継続したまま、アーティストリストＲＬの中で選択されるアーティスト名を切り替える。これにより制御部５０は、アーティストリストＲＬの中で任意に検索キーワードとしてのアーティスト名を選択させることができる。
【００８６】
さらに制御部５０は、第７の状態で、ユーザによりアルバム選択キー３３が押下操作され「アルバムディスク」が選択されると、表示画面８０内でジャンル選択通知アイコン１００及びアーティスト選択通知アイコン１０１の両方の表示を継続したまま、アルバム選択通知アイコン１０２も表示する。これにより制御部５０は、ユーザに対し、キーワード種別としての「ジャンル」及び「アーティスト」と検索キーワードとしてのジャンル名及びアーティスト名との選択を有効にしたまま、新たに「ジャンル」及び「アーティスト」よりも下位のキーワード種別として「アルバムディスク」が選択されたことを通知する。このとき制御部５０は、表示画面８０においてアーティスト選択通知アイコン１０１を囲むアーティスト名選択可能通知アイコン１０４を消灯し、かつアルバム選択通知アイコン１０２を囲むアルバム名選択可能通知アイコン１０５を表示する。すなわち制御部５０は、アーティスト選択通知アイコン１０１を囲むアーティスト名選択可能通知アイコン１０４の表示を、アルバム選択通知アイコン１０２を囲むアルバム名選択可能通知アイコン１０５の表示に移行することで、ユーザに対し、第７の状態で選択されていた検索キーワードとしてのアーティスト名を検索条件とし、さらに「アルバム」というキーワード種別で区別される検索キーワードとしてのアルバム名が追加で選択可能になったことを通知する。
【００８７】
制御部５０は、ユーザによりジャンル選択キー３１、アーティスト選択キー３２及びアルバム選択キー３３が順番に押下操作され「ジャンル」、「アーティスト」及び「アルバム」が順番に選択されことに応じて、表示画面８０内にジャンル選択通知アイコン１００及びアーティスト選択通知アイコン１０１と、アルバム選択通知アイコン１０２及びこれを囲むアルバム名選択可能通知アイコン１０５とを表示した状態（以下、これを第８の状態と呼ぶ）で、当該ユーザによりジャンル選択キー３１が押下操作され「アーティスト」及び「アルバムディスク」の両方よりも上位の「ジャンル」が改めて選択されると、表示画面８０内でジャンル選択通知アイコン１００の表示のみを継続して、残りのアーティスト選択通知アイコン１０１及びアルバム選択通知アイコン１０２の両方を消灯する。これにより制御部５０は、ユーザに対し、キーワード種別として「ジャンル」の選択のみを有効にしたまま、当該「ジャンル」よりも下位のキーワード種別としての「アーティスト」及び「アルバムディスク」と検索キーワードとしてのアーティスト名及びアルバム名との選択を取り消したことを通知する。このとき制御部５０は、表示画面８０においてアルバム選択通知アイコン１０２を囲むアルバム名選択可能通知アイコン１０５を消灯し、かつジャンル選択通知アイコン１００を囲むジャンル名選択可能通知アイコン１０３を表示する。これにより制御部５０は、ユーザに対し、検索キーワードとしてのアルバム名は選択不可能となり、「ジャンル」というキーワード種別で区別される検索キーワードとしてのジャンル名のみが改めて選択可能になったことを通知する。
【００８８】
また制御部５０は、第８の状態で、ユーザによりアーティスト選択キー３２が押下操作され「アーティスト」が選択されると、表示画面８０内でジャンル選択通知アイコン１００及びアーティスト選択通知アイコン１０１の両方を表示したまま、アルバム選択通知アイコン１０２を消灯する。これにより制御部５０は、ユーザに対し、キーワード種別としての「ジャンル」及び「アーティスト」の選択を有効にしたまま、当該「アーティスト」よりも下位のキーワード種別としての「アルバムディスク」の選択を取り消したことを通知する。このとき制御部５０は、表示画面８０においてアルバム選択通知アイコン１０２を囲むアルバム名選択可能通知アイコン１０５を消灯し、かつアーティスト選択通知アイコン１０１を囲むアーティスト名選択可能通知アイコン１０４を表示する。これにより制御部５０は、ユーザに対し、検索キーワードとしてのアルバム名は選択不可能となり、「アーティスト」というキーワード種別で区別される検索キーワードとしてのアーティスト名が改めて選択可能になったことを通知する。
【００８９】
ところで制御部５０は、第８の状態で、ユーザによりアルバム選択キー３３が押下操作されると、表示画面８０内におけるジャンル選択通知アイコン１００及びアーティスト選択通知アイコン１０１の表示を継続すると共に、アルバム選択通知アイコン１０２とこれを囲むアルバム名選択可能通知アイコン１０５との表示も継続したまま、アルバムリストＤＬの中で選択されるアルバム名を切り替える。これにより制御部５０は、アルバムリストＤＬの中で任意に検索キーワードとしてのアルバム名を選択させることができる。
【００９０】
なお、この実施の形態の場合、無線通信モジュール３の制御部５０は、ユーザにより上位のキーワード種別と共にこれで区別される検索キーワードが選択され、引き続き下位のキーワード種別が選択されると、上位のキーワード種別で選択された検索キーワードを自動的に検索条件に設定する。また制御部５０は、ユーザによりキーワード種別と共に検索キーワードが選択された後、リモートコントローラ５の確定キー２８に対する押下操作により選択が確定されると、当該選択された検索キーワードを検索条件に設定する。このようにして制御部５０は、検索条件を確定したときにのみ、上述した楽曲取得リストを生成する。そして図２０に示すように、制御部５０は、検索条件に従って生成した楽曲取得リストを利用して楽曲データを再生処理している途中に、新たに検索キーワードが選択され又は「全曲」が選択されたことで新たな楽曲取得リストを生成すると、その時点まで再生処理に利用していた楽曲取得リストの内容と、その時点に生成した楽曲取得リストの内容とを比較する。その結果、制御部５０は、先の楽曲取得リストを利用して再生処理中であった楽曲データの楽曲タイトルが新たに生成した楽曲取得リストにも含まれていると、先の楽曲取得リストを利用した楽曲データの再生処理を中断するものの、新たな楽曲取得リストを利用して、その再生処理を中断した楽曲データの先頭から再生処理を再開する。
【００９１】
ここでユーザにより選択可能な「全曲」という検索条件は、サーバ２に蓄積している全ての楽曲データを再生対象として検索し得るものであり、キーワード種別を元に選択された検索キーワードを含む検索条件は、そのサーバ２に蓄積されている全ての楽曲データの一部を再生対象として検索し得るものである。このため「全曲」という検索条件には、キーワード種別で選択可能な全ての検索キーワードが含まれているということができる。またキーワード種別を元に選択された検索キーワードを含む例えば２種類の検索条件については、これらに含まれる検索キーワードの数が異なる場合でも、少なくとも１つ同一の検索キーワードが含まれていると、互いに同一の楽曲データを選択対象として検索し得るものとなる。すなわち制御部５０は、先の楽曲取得リストを利用して再生処理中であった楽曲データの楽曲タイトルが新たに生成した楽曲取得リストにも含まれていた場合、先の楽曲取得リストを利用した楽曲データの再生処理を中断し、新たな楽曲取得リストを利用してリストの先頭の楽曲データから再生処理を開始すると、ユーザに対し楽曲取得リストの変更の前後で複数の同一楽曲を重複して聴取させる可能性がある。
【００９２】
このため制御部５０は、先の楽曲取得リストを利用して再生処理中であった楽曲データの楽曲タイトルが新たに生成した楽曲取得リストにも含まれていると、新たな楽曲取得リストを利用して楽曲データの再生処理を開始するとき、先の楽曲取得リストに従い途中まで再生処理していた楽曲データを最初に再生処理している。これにより制御部５０は、先の楽曲取得リストを利用した楽曲データの再生処理によりすでにユーザに聴かせ終えていた楽曲を、新たな楽曲取得リストを利用した楽曲データの再生処理により再び聴かせることを回避している。すなわち制御部５０は、楽曲取得リストの変更の前後で、同一楽曲の重複した聴取を避け、極力異なる楽曲を聴かせることができるようにしている。また制御部５０は、先の楽曲取得リストを利用した楽曲データの再生処理を中断するとき、１つの楽曲データを途中まで再生処理してその再生処理を中断すると、新たな楽曲取得リストに従い、その再生処理を中断していた楽曲データを先頭から再生処理し直すことで、ユーザに対し途中で再生の途切れた楽曲を改めて聴取させ直すことができる。
【００９３】
因みに制御部５０は、先の楽曲取得リストを利用した楽曲データの再生処理を停止している状態で、新たに楽曲取得リストを生成したときには、当該新たな楽曲取得リストを利用してそのリストの先頭の楽曲データ、又は先の楽曲取得リストに含まれる楽曲タイトルと同じ楽曲タイトルの楽曲データのように予め又は任意に選択された所定の楽曲データから再生処理を開始する。また制御部５０は、先の楽曲取得リストを利用して再生処理中であった楽曲データの楽曲タイトルが新たに生成した楽曲取得リストに含まれていないときには、先の楽曲取得リストを利用した楽曲データの再生処理を中断し、新たな楽曲取得リストを利用して例えばリストの先頭から楽曲データの再生処理を開始する。
【００９４】
ここで実際上、無線通信モジュール３の制御部５０は、上述した検索キーワードの入力に応じた検索条件の設定を内蔵メモリに予め記憶している検索キーワード入力プログラムに従って実行している。すなわち制御部５０は、無線通信モジュール３を起動させると、検索キーワード入力プログラムに従い図２１に示す検索キーワード入力処理手順ＲＴ１を開始する。制御部５０は、かかる検索キーワード入力処理手順ＲＴ１を開始すると、ステップＳＰ１においてユーザによりジャンル選択キー３１、アーティスト選択キー３２及びアルバム選択キー３３が押下操作されることを待ち受ける。そして制御部５０は、ユーザによりジャンル選択キー３１、アーティスト選択キー３２及びアルバム選択キー３３の何れか１つが押下操作されキーワード種別として「ジャンル」、「アーティスト」又は「アルバムディスク」が選択されると、次のステップＳＰ２に移る。
【００９５】
ステップＳＰ２において制御部５０は、ディスプレイ３Ｂに表示している表示画面８０内に、ユーザにより押下操作されたジャンル選択キー３１、アーティスト選択キー３２又はアルバム選択キー３３（すなわち、ユーザにより選択されたキーワード種別としての「ジャンル」、「アーティスト」又は「アルバムディスク」）に対応するジャンル選択通知アイコン１００、アーティスト選択通知アイコン１０１又はアルバム選択通知アイコン１０２を表示すると共に、当該表示したジャンル選択通知アイコン１００、アーティスト選択通知アイコン１０１又はアルバム選択通知アイコン１０２を囲むようにジャンル名選択可能通知アイコン１０３、アーティスト名選択可能通知アイコン１０４又はアルバム名選択可能通知アイコン１０５も表示して、次のステップＳＰ３に移る。
【００９６】
ステップＳＰ３において制御部５０は、再びユーザによりジャンル選択キー３１、アーティスト選択キー３２及びアルバム選択キー３３の何れかが押下操作されたか否かを判別する。このステップＳＰ３において否定結果が得られると、このことは例えばユーザにより未だ新たなキーワード種別及び又は検索キーワードが選択されてはいないことを表している。従って制御部５０は、かかる否定結果を得ると、ステップＳＰ４に移る。そしてステップＳＰ４において制御部５０は、先に選択されたキーワード種別で検索キーワードとしてのジャンル名、アーティスト名又はアルバム名の選択が確定されたか否かを判別する。このステップＳＰ４において否定結果が得られると、このことはユーザにより未だキーワード種別及び又は検索キーワードが新たに選択される可能性があることを表している。従って制御部５０は、かかる否定結果を得るとステップＳＰ３に戻る。そして制御部５０は、この後、ステップＳＰ３又はステップＳＰ４において肯定結果を得るまでの間、そのステップＳＰ３及びステップＳＰ４の処理を循環的に繰り返し実行する。これにより制御部５０は、ユーザにより再びジャンル選択キー３１、アーティスト選択キー３２及びアルバム選択キー３３の何れかが押下操作され、又は先に選択されたキーワード種別で区別される検索キーワードとしてのジャンル名、アーティスト名又はアルバム名の選択が確定されることを待ち受ける。
【００９７】
ところでステップＳＰ３において肯定結果が得られると、このことはユーザにより再びジャンル選択キー３１、アーティスト選択キー３２及びアルバム選択キー３３の何れか１つが押下操作されたことを表している。従って制御部５０は、かかる肯定結果を得ると、ステップＳＰ５に移る。ステップＳＰ５において制御部５０は、ユーザにより再び押下操作されたジャンル選択キー３１、アーティスト選択キー３２又はアルバム選択キー３３が先に押下操作されたジャンル選択キー３１、アーティスト選択キー３２又はアルバム選択キー３３と同一の操作キーであるか否かを判別する。このステップＳＰ５において肯定結果が得られると、このことはユーザにより先に選択したキーワード種別で検索キーワードとしてのジャンル名、アーティスト名又はアルバム名を選択するために、先に押下操作されたジャンル選択キー３１、アーティスト選択キー３２又はアルバム選択キー３３と同一のジャンル選択キー３１、アーティスト選択キー３２又はアルバム選択キー３３が再び押下操作されたことを表している。従って制御部５０は、かかる肯定結果を得ると、次のステップＳＰ６に移る。そしてステップＳＰ６において制御部５０は、キーワード種別で区別される検索キーワードとしての複数のジャンル名、アーティスト名又はアルバム名の中から選択対象とするジャンル名、アーティスト名又はアルバム名を切り替えて、ステップＳＰ３に戻る。
【００９８】
ところでステップＳＰ５において否定結果が得られると、このことはユーザにより先に選択したキーワード種別とは異なるキーワード種別を選択するために、先に押下操作されたジャンル選択キー３１、アーティスト選択キー３２又はアルバム選択キー３３とは異なるジャンル選択キー３１、アーティスト選択キー３２又はアルバム選択キー３３が押下操作されたことを表している。従って制御部５０は、かかる否定結果を得ると、次のステップＳＰ７に移る。そしてステップＳＰ７において制御部５０は、ユーザにより再び押下操作されたジャンル選択キー３１、アーティスト選択キー３２又はアルバム選択キー３３が先に押下操作されたジャンル選択キー３１、アーティスト選択キー３２又はアルバム選択キー３３で選択可能なキーワード種別よりも下位のキーワード種別を選択するものであるか否かを判別する。このステップＳＰ７において肯定結果が得られると、このことはユーザにより検索条件を絞り込むために、キーワード種別が上位から下位に階層を辿るように順次選択されたことを表している。従って制御部５０は、かかる肯定結果を得ると、次のステップＳＰ８に移る。そしてステップＳＰ８において制御部５０は、ディスプレイ３Ｂに表示している表示画面８０において先のジャンル選択通知アイコン１００又はアーティスト選択通知アイコン１０１の表示をそのまま継続しつつ、ユーザにより新たに押下操作されたアーティスト選択キー３２又はアルバム選択キー３３（すなわち、ユーザにより追加で選択されたキーワード種別としての「アーティスト」又は「アルバムディスク」）に対応するアーティスト選択通知アイコン１０１又はアルバム選択通知アイコン１０２を追加で表示する。また制御部５０は、このとき表示画面８０内で、先のジャンル選択通知アイコン１００又はアーティスト選択通知アイコン１０１を囲むように表示していたジャンル名選択可能通知アイコン１０３又はアーティスト名選択可能通知アイコン１０４を消灯し、追加で表示したアーティスト選択キー３２又はアルバム選択キー３３を囲むアーティスト名選択可能通知アイコン１０４又はアルバム名選択可能通知アイコン１０５を表示して、ステップＳＰ３に戻る。
【００９９】
ところでステップＳＰ７において否定結果が得られると、このことはユーザにより上位のキーワード種別で検索キーワードを選択し直して検索条件を変更するために、すでに選択されていたキーワード種別よりも上位のキーワード種別が選択されたことを表している。従って制御部５０は、かかる否定結果を得ると、ステップＳＰ９に移る。そしてステップＳＰ９において制御部５０は、ディスプレイ３Ｂに表示している表示画面８０において先のアーティスト選択通知アイコン１０１及び又はアルバム選択通知アイコン１０２のうち、ユーザにより改めて選択された上位のキーワード種別よりも下位のキーワード種別に対応するアーティスト選択通知アイコン１０１及び又はアルバム選択通知アイコン１０２を消灯し、当該上位のキーワード種別に対応するジャンル選択通知アイコン１００又はアーティスト選択通知アイコン１０１を新たに又はそのまま表示する。また制御部５０は、このとき表示画面８０内で消灯したアーティスト選択通知アイコン１０１又はアルバム選択通知アイコン１０２を囲むように表示していたアーティスト名選択可能通知アイコン１０４又はアルバム名選択可能通知アイコン１０５を消灯し、この時点で表示しているジャンル選択通知アイコン１００及び又はアーティスト選択通知アイコン１０１のうち最も下位のキーワード種別に対応するジャンル選択通知アイコン１００又はアーティスト選択通知アイコン１０１を囲むジャンル名選択可能通知アイコン１０３又はアーティスト名選択可能通知アイコン１０４を表示して、ステップＳＰ３に戻る。このようにして制御部５０は、ユーザにより検索キーワードの選択が確定されるまでの間は、ステップＳＰ３乃至ステップＳＰ９の処理を循環的に繰り返し実行する。これにより制御部５０は、ユーザに対し１又は複数のキーワード種別と共に検索キーワードを任意に選択させることができる。
【０１００】
ところでステップＳＰ４において肯定結果が得られると、このことはユーザにより検索キーワードの選択が確定されたことを表している。従って制御部５０は、かかる肯定結果を得ると次のステップＳＰ１０に移る。ステップＳＰ１０において制御部５０は、ユーザにより選択が確定された検索キーワードを検索条件にし、かかる検索条件に応じて楽曲取得リストを生成した後、次のステップＳＰ１１に移って検索キーワード入力処理手順ＲＴ１を終了する。
【０１０１】
以上の構成において、無線通信モジュール３は、リモートコントローラ５に設けられた、複数の検索キーワードとしてのジャンル名、アーティスト名及びアルバム名を区別し選択用に絞り込むためのキーワード種別としての「ジャンル」、「アーティスト」及び「アルバムディスク」を提示し、かつ選択させるためのジャンル選択キー３１、アーティスト選択キー３２及びアルバム選択キー３３が押下操作されると、これに応じて表示部５４のディスプレイ３Ｂに表示している表示画面８０内に、当該押下操作されたジャンル選択キー３１、アーティスト選択キー３２及びアルバム選択キー３３に対応するジャンル選択通知アイコン１００、アーティスト選択通知アイコン１０１及びアルバム選択通知アイコン１０２を表示する。
【０１０２】
従って無線通信モジュール３は、リモートコントローラ５に設けられたジャンル選択キー３１、アーティスト選択キー３２及びアルバム選択キー３３により、ユーザに対し選択可能なキーワード種別としてどのようなものが存在しているかを常に提示して容易に認識させることができる。また無線通信モジュール３は、ユーザによるジャンル選択キー３１、アーティスト選択キー３２及びアルバム選択キー３３の押下操作に応じて表示画面８０内に表示するジャンル選択通知アイコン１００、アーティスト選択通知アイコン１０１及びアルバム選択通知アイコン１０２により、ユーザに対し、例えばすでに選択されたキーワード種別で再び検索キーワードが選択し直されるような場合でも、当該選択されたキーワード種別を通知して容易にかつ確実に確認させることができる。
【０１０３】
以上の構成によれば、無線通信モジュール３は、複数の検索キーワードとしてのジャンル名、アーティスト名及びアルバム名を区別して選択用に絞り込むための複数のキーワード種別としての「ジャンル」、「アーティスト」及び「アルバムディスク」を提示して、当該複数のキーワード種別を選択するために用いられるジャンル選択キー３１、アーティスト選択キー３２及びアルバム選択キー３３がキーワード種別の選択用に押下操作されると、当該押下操作されたジャンル選択キー３１、アーティスト選択キー３２及びアルバム選択キー３３に対応するジャンル選択通知アイコン１００、アーティスト選択通知アイコン１０１及びアルバム選択通知アイコン１０２をディスプレイ３Ｂに表示するようにした。これにより無線通信モジュール３は、複数のジャンル選択キー３１、アーティスト選択キー３２及びアルバム選択キー３３により、どのようなキーワード種別が存在するかを容易にかつ的確に認識させることができると共に、ジャンル選択キー３１、アーティスト選択キー３２及びアルバム選択キー３３の押下操作に応じたジャンル選択通知アイコン１００、アーティスト選択通知アイコン１０１及びアルバム選択通知アイコン１０２の表示により、何れのキーワード種別が選択されたかも容易に確認させることができ、かくして検索キーワードを容易に選択させることができる。
【０１０４】
また無線通信モジュール３は、ジャンル選択キー３１又はアーティスト選択キー３２の押下操作によりキーワート種別が選択されると、これに応じてジャンル選択通知アイコン１００又はアーティスト選択通知アイコン１０１をディスプレイ３Ｂに表示し、引き続きアーティスト選択キー３２又はアルバム選択キー３３が押下操作され、先に選択されたキーワード種別よりも下位のキーワード種別が新たに選択されると、これに応じてディスプレイ３Ｂに対し先に表示しているジャンル選択通知アイコン１００又はアーティスト選択通知アイコン１０１に追加して当該下位のキーワード種別に対応するアーティスト選択通知アイコン１０１又はアルバム選択通知アイコン１０２を表示するようにした。従って無線通信モジュール３は、ユーザに対し上位の検索キーワードから下位の検索キーワードまでを的確に階層を辿って順次選択されたことを通知して検索条件を的確に絞り込ませることができる。
【０１０５】
これに対し無線通信モジュール３は、アーティスト選択キー３２又はアルバム選択キー３３の押下操作によりキーワート種別が選択されると、これに応じてアーティスト選択通知アイコン１０１又はアルバム選択通知アイコン１０２をディスプレイ３Ｂに表示するものの、引き続きジャンル選択キー３１又はアーティスト選択キー３２が押下操作され、先に選択されたキーワード種別よりも上位のキーワード種別が新たに選択されると、これに応じて先に選択されたキーワード種別と当該キーワード種別で選択された検索キーワードとの選択を取り消すようにした。そして無線通信モジュール３は、このときディスプレイ３Ｂにおいて先に選択されたキーワード種別に対応するアーティスト選択通知アイコン１０１又はアルバム選択通知アイコン１０２を消灯し、かつ当該上位のキーワード種別に対応するジャンル選択通知アイコン１００又はアーティスト選択通知アイコン１０１を表示するようにした。従って無線通信モジュール３は、下位のキーワード種別の選択に引き続き上位のキーワード種別が選択されたとき、当該下位のキーワード種別の選択を取り消したことを容易にかつ確実に通知することができる。また無線通信モジュール３は、ユーザに対し、下位のキーワード種別よりも上位のキーワード種別にさかのぼって検索キーワードを変更する際に、かかる検索キーワードの変更を容易に行わせることができると共に、その際に何ら関係のない下位の検索キーワードが選択されたままとなり、ユーザの予期せぬ検索条件が設定されることを確実に回避することができる。
【０１０６】
さらに無線通信モジュール３を操作するためのリモートコントローラ５には、ジャンル選択キー３１、アーティスト選択キー３２及びアルバム選択キー３３を、上位のキーワード種別から下位のキーワード種別までの階層を辿る並びに対応させて１列に配置するようにした。従って、かかるリモートコントローラ５では、ユーザに対し選択可能なキーワード種別に対する階層の関係を容易に認識させることができ、その結果、キーワード種別を上位から下位に順番に階層を辿るように選択して検索条件を絞り込む際、かかる検索条件の絞り込みに合わせてジャンル選択キー３１、アーティスト選択キー３２及びアルバム選択キー３３を容易に押下操作させることができる。
【０１０７】
さらに無線通信モジュール３は、ディスプレイ３Ｂに対し、ジャンル選択通知アイコン１００、アーティスト選択通知アイコン１０１及びアルバム選択通知アイコン１０２を上位のキーワード種別から下位のキーワード種別までの階層を辿る並びに対応させて１列に配置して表示するようにした。従って無線通信モジュール３は、ジャンル選択キー３１、アーティスト選択キー３２及びアルバム選択キー３３が順次押下操作されたとき、ジャンル選択通知アイコン１００、アーティスト選択通知アイコン１０１及びアルバム選択通知アイコン１０２の表示状態により、ユーザに対しどのようにキーワード種別を選択して検索条件を絞り込んだかを容易に確認させることができる。
【０１０８】
さらに無線通信モジュール３は、ジャンル選択キー３１、アーティスト選択キー３２及びアルバム選択キー３３のうち少なくとも１つが押下操作され少なくとも１つのキーワード種別が選択されると、ディスプレイ３Ｂにおいて、その選択の中で最も下位となる１つのキーワード種別に対応する１つのジャンル選択通知アイコン１００、アーティスト選択通知アイコン１０１又はアルバム選択通知アイコン１０２のみを囲むようにジャンル名選択可能通知アイコン１０３、アーティスト名選択可能通知アイコン１０４又はアルバム名選択可能通知アイコン１０５を表示するようにした。従って無線通信モジュール３は、ユーザに対し、検索キーワードが選択可能な状態の唯一のキーワード種別を的確に確認させることができ、その結果、ユーザに対し検索キーワードを階層を辿って的確に選択させることができる。
【０１０９】
これに加えて無線通信モジュール３は、ジャンル選択キー３１、アーティスト選択キー３２及びアルバム選択キー３３の押下操作に応じて上位のキーワード種別から下位のキーワード種別までが階層を辿って順次選択されると、当該キーワード種別が選択される毎にその選択されたキーワード種別よりも上位のキーワード種別で選択された検索キーワードを自動的に検索条件とするようにした。従って無線通信モジュール３は、上位のキーワード種別から下位のキーワード種別までが階層を辿って順次選択され毎に、上位のキーワード種別で選択された検索キーワードを検索条件とするような特別な操作を何ら行わせることなく、かかる検索条件を容易に設定することができる。
【０１１０】
なお上述した実施の形態においては、無線通信モジュール３がサーバ２から取得した階層構造情報を用いて種別リストや種別部分リストを生成し楽曲データの検索に利用するようにした場合について述べたが、本発明はこれに限らず、無線通信モジュール３がサーバ２から取得した階層構造情報をそのまま楽曲データの検索に利用するようにしても良い。
【０１１１】
また上述の実施の形態においては、無線通信モジュール３がサーバ２に蓄積している楽曲データの中から再生対象の楽曲データを検索するようにした場合について述べたが、本発明はこれに限らず、無線通信モジュール３自体が多数の楽曲データを蓄積し、当該蓄積した多数の楽曲データの中から再生対象の楽曲データを検索するようにしても良い。
【０１１２】
さらに上述した実施の形態においては、無線通信モジュール３がサーバ２と無線通信するようにした場合について述べたが、本発明はこれに限らず、無線通信モジュール３がサーバ２と有線通信し、又は無線通信及び有線通信の何れか一方を適宜選択するようにしても良い。
【０１１３】
さらに上述した実施の形態においては、無線通信モジュール３が楽曲取得リストを変更するときに、先の楽曲取得リストを利用して再生処理中であった楽曲データの楽曲タイトルが新たに生成した楽曲取得リストにも含まれていると、新たな楽曲取得リストを利用して楽曲データの再生処理を開始するとき、先の楽曲取得リストで途中まで再生処理していた楽曲データを先頭から再生処理するようにした場合について述べたが、本発明はこれに限らず、無線通信モジュール３が楽曲取得リストを変更するときに、先の楽曲取得リストを利用して再生処理中であった楽曲データの楽曲タイトルが新たに生成した楽曲取得リストにも含まれていると、新たな楽曲取得リストを利用して楽曲データの再生処理を開始するとき、先の楽曲取得リストで途中まで再生処理していた楽曲データをその途中から引き続き再生処理するようにしても良い。
【０１１４】
さらに上述した実施の形態においては、本発明による検索キーワード入力装置を、図１乃至図２１について上述した無線通信モジュール３に適用するようにした場合について述べたが、本発明はこれに限らず、コンピュータや携帯電話機、ＰＤＡ（Personal Digital Assistance ）等の情報処理装置、ビデオカメラやデジタルスチルカメラ、ハードディスクドライブ内蔵型のデータ記録再生装置等のように、この他種々の検索キーワード入力装置に広く適用することができる。
【０１１５】
さらに上述した実施の形態においては、検索対象のコンテンツデータとして、図１乃至図２１について上述した楽曲データを適用するようにした場合について述べたが、本発明はこれに限らず、映画等の映像データや、ゲームプログラム等のプログラムデータ、テキストデータのように、この他種々のコンテンツデータを広く適用することができる。
【０１１６】
さらに上述した実施の形態においては、複数の検索キーワードとして、図１乃至図２１について上述した楽曲に関連するジャンル名、アーティスト名及びアルバム名を適用するようにした場合について述べたが、本発明はこれに限らず、検索対象が楽曲データであれば、楽曲を奏でるアーティスト所属のレーベル会社の名称や楽曲収録国の名称、発表年号等のように、この他種々の検索キーワードを広く適用することができ、また検索対象が映画等のような映像データであれば、制作会社の名称や監督のような製作者の名称、制作国の名称、出演者の名称、制作年号等のように、この他種々の検索キーワードを広く適用することができ、さらに検索対象がゲームプログラム等のようなプログラムデータであれば、制作会社の名称や製作者の名称、制作国の名称、制作年号等のように、この他種々の検索キーワードを広く適用することができる。
【０１１７】
さらに上述した実施の形態においては、複数の検索キーワードを区別する複数のキーワード種別として、図１乃至図２１について上述した「ジャンル」、「アーティスト」及び「アルバムディスク」を適用するようにした場合について述べたが、本発明はこれに限らず、検索対象が楽曲データであれば、楽曲を奏でるアーティスト所属のレーベル会社や楽曲収録国、発表年等のように、この他種々のキーワード種別を広く適用することができ、また検索対象が映画等のような映像データであれば、制作会社や製作者、制作国、制作年等のように、この他種々のキーワード種別を広く適用することができ、さらに検索対象がゲームプログラム等のようなプログラムデータであれば、制作会社や製作者、制作国、制作年等のように、この他種々のキーワード種別を広く適用することができる。
【０１１８】
さらに上述した実施の形態においては、複数の検索キーワードを区別して選択用に絞り込むための複数のキーワード種別を提示し、当該複数のキーワード種別の選択に用いられる複数のキーワード種別選択キーとして、図１乃至図２１について上述したリモートコントローラ５に設けられたジャンル選択キー３１、アーティスト選択キー３２及びアルバム選択キー３３を適用するようにした場合について述べたが、本発明はこれに限らず、無線通信モジュール３本体に設けられたキーワード種別選択キーや、タッチパネル式のキーワード種別選択キー等のように、この他種々のキーワード種別選択キーを広く適用することができる。
【０１１９】
さらに上述した実施の形態においては、キーワード種別の選択用にキーワード種別選択キーが指示されると、当該指示されたキーワード種別選択キーに対応する選択通知表示子を表示部に表示するように制御する制御部として、図１乃至図２１について上述したマイクロコンピュータ構成の制御部５０を適用するようにした場合について述べたが、本発明はこれに限らず、中央処理ユニット等のように、この他種々の制御部を広く適用することができる。
【産業上の利用可能性】
【０１２０】
本発明は、多数のコンテンツデータの中から再生対象のコンテンツデータを検索可能な据置型や携帯型のデータ再生装置等の検索キーワード入力装置に利用することができる。
【図面の簡単な説明】
【０１２１】
【図１】本発明によるオーディオシステムの全体構成の一実施の形態を示す略線図である。
【図２】オーディオシステムの動作時の構成を示す略線図である。
【図３】リモートコントローラの構成を示す略線図である。
【図４】無線通信モジュールの回路構成を示すブロック図である。
【図５】サーバによる楽曲データの多階層構造の管理の説明に供する略線図である。
【図６】ジャンルと楽曲データとの２階層構造の説明に供する略線図である。
【図７】アーティストと楽曲データとの２階層構造の説明に供する略線図である。
【図８】アルバムディスクと楽曲データとの２階層構造の説明に供する略線図である。
【図９】検索条件の全曲と楽曲データとの２階層構造の説明に供する略線図である。
【図１０】ジャンルリストの構成を示す略線図である。
【図１１】アーティストリストの構成を示す略線図である。
【図１２】アルバムリストの構成を示す略線図である。
【図１３】全曲リストの構成を示す略線図である。
【図１４】部分的な２階層構造の説明に供する略線図である。
【図１５】種別部分リストの構成を示す略線図である。
【図１６】サーバの回路構成を示すブロック図である。
【図１７】クレードルの回路構成を示すブロック図である。
【図１８】無線通信モジュールのディスプレイに表示される表示画面の構成を示す略線図である。
【図１９】キーワード種別選択キーの押下操作に応じたキーワード種別選択通知アイコンの表示の説明に供する略線図である。
【図２０】検索条件の変更による楽曲データの再生処理の切り替えの説明に供する略線図である。
【図２１】検索キーワード入力処理手順を示すフローチャートである。
【符号の説明】
【０１２２】
１……オーディオシステム、３……無線通信モジュール、３Ｂ……ディスプレイ、５……リモートコントローラ、３０……全曲選択キー、３１……ジャンル選択キー、３２……アーティスト選択キー、３３……アルバム選択キー、５０……制御部、５４……表示部、５５……表示コントローラ、１００……ジャンル選択通知アイコン、１０１……アーティスト選択通知アイコン、１０２……アルバム選択通知アイコン、１０３……ジャンル名選択可能通知アイコン、１０４……アーティスト名選択可能通知アイコン、１０５……アルバム名選択可能通知アイコン、ＲＴ１……検索キーワード入力処理手順。
【図１】
0004788411.tif 000002
【図２】
0004788411.tif 000003
【図３】
0004788411.tif 000004
【図４】
0004788411.tif 000005
【図５】
0004788411.tif 000006
【図６】
0004788411.tif 000007
【図７】
0004788411.tif 000008
【図８】
0004788411.tif 000009
【図９】
0004788411.tif 000010
【図１０】
0004788411.tif 000011
【図１１】
0004788411.tif 000012
【図１２】
0004788411.tif 000013
【図１３】
0004788411.tif 000014
【図１４】
0004788411.tif 000015
【図１５】
0004788411.tif 000016
【図１６】
0004788411.tif 000017
【図１７】
0004788411.tif 000018
【図１８】
0004788411.tif 000019
【図１９】
0004788411.tif 000020
【図２０】
0004788411.tif 000021
【図２１】
0004788411.tif 000022